(57)【特許請求の範囲】
【請求項１】
通信ネットワーク（１００）において情報をハンドリングするための、ターゲットモビリティ管理ノード（１０１，１０１ｔ）における方法であって、前記ターゲットモビリティ管理ノード（１０１，１０１ｔ）は、サービングネットワーク（１００，１００ｔ）によりサービスされる無線デバイス（１０３）に関連付けられ、前記無線デバイス（１０３）は、以前にソースモビリティ管理ノード（１０１ｓ）に関連付けられており、前記方法は、
前記サービングネットワーク（１００，１００ｔ）又はタイムゾーン若しくはユーザクローズド加入者グループ情報（ＵＣＩ）のうちの少なくとも１つが前記無線デバイス（１０３）について変更されたことに関する情報を取得すること（２０１，２０２，７０１）と、
前記変更に関する前記情報がサービングゲートウェイ（ＳＧＷ）（１０５）へ送信されたか否かを示す標識を前記ソースモビリティ管理ノード（１０１ｓ）から受信すること（５０３，６０２，７０１ａ）により、前記変更が前記ターゲットモビリティ管理ノード（１０１，１０１ｔ）に関連付けられる前記ＳＧＷ（１０５）へ送信されていないことに関する情報を取得することと、
前記サービングネットワーク並びに前記タイムゾーン及び前記ＵＣＩのうちの少なくとも１つが前記無線デバイス（１０３）について変更され、かつ前記変更に関する情報が前記ＳＧＷ（１０５）へ送信されていない場合に、変更された前記サービングネットワーク並びにタイムゾーン及びＵＣＩのうちの少なくとも１つに関する前記情報を前記ＳＧＷ（１０５）へ送信し（２０３，３１１，３１５，５０５，６０８，７０２）、前記ＳＧＷ（１０５）が当該情報をパケットデータネットワークゲートウェイ（ＰＧＷ）（１０８）へ転送することを可能とすることと、
を含む方法。
【請求項２】
前記取得すること（２０１，２０２，７０１）は、前記無線デバイス（４）から、又は、前記無線デバイス（１０３）が以前にソースモビリティ管理ノード（１０１ｓ）に関連付けられていたケースにおいてはソースモビリティ管理ノード（１０１ｓ）からの要求メッセージ（３０８，３１４，５０１，６０２）の受信への反応として行われる、請求項１に記載の方法。
【請求項３】
前記無線デバイス（１０３）がアイドルモードにある場合には、コンテキスト応答メッセージ内で前記標識が受信され、前記無線デバイス（１０３）がアクティブモードにある場合には、再配置転送要求メッセージ内で前記標識が受信される、請求項１に記載の方法。
【請求項４】
前記変更に関する情報が前記ＳＧＷ（１０５）へ送信されていないことを前記標識が示す場合、前記変更に関する前記情報は、ベアラ修正要求内で送信される、請求項１〜３のいずれか１項に記載の方法。
【請求項５】
前記標識は、複数のビットを含む情報要素であり、各ビットは、前記サービングネットワーク並びにタイムゾーン及びＵＣＩのうちの少なくとも１つについてのステータスに対応し、前記ステータスは、前記変更に関する前記情報が前記ＳＧＷ（１０５）へ送信されたか否かを示す、請求項１〜４のいずれか１項に記載の方法。
【請求項６】
前記標識は、前記無線デバイス（１０３）の１つのパケットデータネットワーク（ＰＤＮ）接続に関連付けられ、又は、前記無線デバイス（１０３）に個々に関連付けられる、請求項１〜５のいずれか１項に記載の方法。
【請求項７】
前記標識は、変更レポート済みフラグである、請求項１〜６のいずれか１項に記載の方法。
【請求項８】
前記ターゲットモビリティ管理ノード（１０１，１０１ｔ）は、Ｓ４−サービングＧＰＲＳ（General  packet  radio  service）サポートノード（Ｓ４−ＳＧＳＮ）若しくはモビリティ管理エンティティ（ＭＭＥ）、又は組み合わされたＳＧＳＮ／ＭＭＥである、請求項１〜７のいずれか１項に記載の方法。
【請求項９】
情報を前記取得すること（７０１）はさらに、
前記ターゲットモビリティ管理ノード（１０１，１０１ｔ）において、前記サービングネットワーク又はタイムゾーン若しくはＵＣＩのうちの少なくとも１つが変更されたこと、及び、前記変更に関する前記情報が前記ＳＧＷ（１０５）へ送信されていないこと、を検出すること（７０１ｂ）
を含む、請求項１又は２のいずれか１項に記載の方法。
【請求項１０】
前記ＰＧＷ（１０８）によりトリガされる専用シグナリングが存在する場合、ベアラ更新応答、又はベアラ生成応答、又はベアラ削除応答内で前記変更に関する前記情報が前記ＳＧＷ（１０５）へ送信される、請求項９に記載の方法。
【請求項１１】
前記変更に関する前記情報は、前記サービングネットワーク及びＵＣＩのうちの少なくとも１つに関する情報を含む、請求項９〜１０のいずれか１項に記載の方法。
【請求項１２】
前記ターゲットモビリティ管理ノード（１０１，１０１ｔ）は、Ｓ４−サービングＧＰＲＳ（General  packet  radio  service）サポートノード（Ｓ４−ＳＧＳＮ）、又は組み合わされたＳＧＳＮ／モビリティ管理エンティティ（ＳＧＳＮ／ＭＭＥ）である、請求項９〜１１のいずれか１項に記載の方法。
【請求項１３】
変更された前記サービングネットワーク並びにタイムゾーン及びＵＣＩのうちの少なくとも１つに関する前記情報は、Ｓ１１／Ｓ４インタフェース及びＳ５／Ｓ８インタフェース上で最少のシグナリングメッセージにより、前記ＳＧＷ（１０５）へ送信される、請求項１〜１２のいずれか１項に記載の方法。
【請求項１４】
通信ネットワーク（１００）において情報をハンドリングするためのターゲットモビリティ管理ノード（１０１，１０１ｔ）であって、前記ターゲットモビリティ管理ノード（１０１，１０１ｔ）は、サービングネットワーク（１００，１００ｔ）によりサービスされる無線デバイス（１０３）に関連付けられるように構成され、前記無線デバイス（１０３）は、以前にソースモビリティ管理ノード（１０１ｓ）に関連付けられており、前記ターゲットモビリティ管理ノード（１０１，１０１ｔ）は、
前記サービングネットワーク（１００，１００ｔ）又はタイムゾーン若しくはユーザクローズド加入者グループ情報（ＵＣＩ）のうちの少なくとも１つが前記無線デバイス（１０３）について変更されたことに関する情報、及び、前記変更が前記ターゲットモビリティ管理ノード（１０１，１０１ｔ）に関連付けられるサービングゲートウェイ（ＳＧＷ）（１０５）へ送信されていないことに関する情報を取得する、ように構成される取得ユニット（８０１）、を含み、
前記取得ユニット（８０１）は、前記変更に関する前記情報が前記ＳＧＷ（１０５）へ送信されたか否かを示す標識を前記ソースモビリティ管理ノード（１０１ｓ）から受信するように構成される受信機（８０１ａ）であり、
前記ターゲットモビリティ管理ノード（１０１，１０１ｔ）は、
前記サービングネットワーク並びに前記タイムゾーン及び前記ＵＣＩのうちの少なくとも１つが前記無線デバイス（１０３）について変更され、かつ前記変更に関する情報が前記ＳＧＷ（１０５）へ送信されていない場合に、変更された前記サービングネットワーク並びにタイムゾーン及びＵＣＩのうちの少なくとも１つに関する前記情報を前記ＳＧＷ（１０５）へ送信し、前記ＳＧＷ（１０５）が当該情報をパケットデータネットワークゲートウェイ（ＰＧＷ）（１０８）へ転送することを可能とする、ように構成される送信機（８０３）、
を含む、ターゲットモビリティ管理ノード（１０１，１０１ｔ）。
【請求項１５】
前記取得ユニット（８０１）は、前記無線デバイス（４）から、又は、前記無線デバイス（１０３）が以前にソースモビリティ管理ノード（１０１ｓ）に関連付けられたケースにおいてはソースモビリティ管理ノード（１０１ｓ）からの要求メッセージ（３０８，３１４，５０１，６０２）の受信への反応として前記情報を取得する、ように構成される、請求項１４に記載のターゲットモビリティ管理ノード（１０１，１０１ｔ）。
【請求項１６】
前記受信機（８０１ａ）は、前記無線デバイス（１０３）がアイドルモードにある場合には、コンテキスト応答メッセージ内で前記標識を受信するように、前記無線デバイス（１０３）がアクティブモードにある場合には、再配置転送要求メッセージ内で前記標識を受信するように、構成される、請求項１４に記載のターゲットモビリティ管理ノード（１０１，１０１ｔ）。
【請求項１７】
前記送信機（８０３）は、前記変更に関する情報が前記ＳＧＷ（１０５）へ送信されていないことを前記標識が示す場合、前記変更に関する前記情報をベアラ修正要求内で送信する、ように構成される、請求項１４〜１６のいずれか１項に記載のターゲットモビリティ管理ノード（１０１，１０１ｔ）。
【請求項１８】
前記標識は、複数のビットを含む情報要素であり、各ビットは、前記サービングネットワーク並びにタイムゾーン及びＵＣＩのうちの少なくとも１つについてのステータスに対応し、前記ステータスは、前記変更に関する前記情報が前記ＳＧＷ（１０５）へ送信されたか否かを示す、請求項１４〜１７のいずれか１項に記載のターゲットモビリティ管理ノード（１０１，１０１ｔ）。
【請求項１９】
前記標識は、前記無線デバイス（１０３）の１つのパケットデータネットワーク（ＰＤＮ）接続に関連付けられ、又は、前記無線デバイス（１０３）に個々に関連付けられる、請求項１４〜１８のいずれか１項に記載のターゲットモビリティ管理ノード（１０１，１０１ｔ）。
【請求項２０】
前記標識は、変更レポート済みフラグである、請求項１４〜１９のいずれか１項に記載のターゲットモビリティ管理ノード（１０１，１０１ｔ）。
【請求項２１】
前記ターゲットモビリティ管理ノード（１０１，１０１ｔ）は、Ｓ４−サービングＧＰＲＳ（General  packet  radio  service）サポートノード（Ｓ４−ＳＧＳＮ）若しくはモビリティ管理エンティティ（ＭＭＥ）、又は組み合わされたＳＧＳＮ／ＭＭＥである、請求項１４〜２０のいずれか１項に記載のターゲットモビリティ管理ノード（１０１，１０１ｔ）。
【請求項２２】
前記取得ユニット（８０１）は、前記ターゲットモビリティ管理ノード（１０１，１０１ｔ）において、前記サービングネットワーク又はタイムゾーン若しくはＵＣＩのうちの少なくとも１つが変更されたこと、及び、前記変更に関する前記情報が前記ＳＧＷ（１０５）へ送信されていないこと、を検出する、ように構成される、請求項１４又は１５のいずれか１項に記載のターゲットモビリティ管理ノード（１０１，１０１ｔ）。
【請求項２３】
前記送信機（８０３）は、前記ＰＧＷ（１０８）によりトリガされる専用シグナリングが存在する場合、ベアラ更新応答、又はベアラ生成応答、又はベアラ削除応答内で前記変更に関する前記情報を前記ＳＧＷ（１０５）へ送信する、ように構成される、請求項２２に記載のターゲットモビリティ管理ノード（１０１，１０１ｔ）。
【請求項２４】
前記変更に関する前記情報は、前記サービングネットワーク及び前記ＵＣＩのうちの少なくとも１つに関する情報を含む、請求項２２〜２３のいずれか１項に記載のターゲットモビリティ管理ノード（１０１，１０１ｔ）。
【請求項２５】
前記ターゲットモビリティ管理ノード（１０１，１０１ｔ）は、Ｓ４−サービングＧＰＲＳ（General  packet  radio  service）サポートノード（Ｓ４−ＳＧＳＮ）、又は組み合わされたＳＧＳＮ／モビリティ管理エンティティ（ＳＧＳＮ／ＭＭＥ）である、請求項２２〜２４のいずれか１項に記載のターゲットモビリティ管理ノード（１０１，１０１ｔ）。
【請求項２６】
前記送信機（８０３）は、変更された前記サービングネットワーク並びにタイムゾーン及びＵＣＩのうちの少なくとも１つに関する前記情報を、Ｓ１１／Ｓ４インタフェース及びＳ５／Ｓ８インタフェース上で最少のシグナリングメッセージにより、前記ＳＧＷ（１０５）へ送信する、ように構成される、請求項１５〜２５のいずれか１項に記載のターゲットモビリティ管理ノード（１０１，１０１ｔ）。
【発明の詳細な説明】
【技術分野】
【０００１】
ここでの実施形態は、一般に、モビリティ管理ノード及びモビリティ管理ノードにおける方法に関連する。より具体的には、ここでの実施形態は、通信ネットワークにおいて情報をハンドリングすることに関連する。
【背景技術】
【０００２】
無線通信システム、無線通信ネットワーク、セルラネットワーク、通信ネットワーク又は通信システムともいう典型的な通信ネットワークにおいて、デバイスは、１つ以上のコアネットワーク（ＣＮ）へ無線アクセスネットワーク（ＲＡＮ）を介して通信する。
【０００３】
上記デバイスは、事業者のネットワークにより提供されるサービス、並びに例えばインターネットへのアクセスのような事業者の無線アクセスネットワーク及びコアネットワークによりアクセスされる先の事業者ネットワーク外のサービスへ加入者がアクセスし得る手段であるデバイスであってよい。デバイスは、通信ネットワークにおいて無線チャネル上で通信可能とされるモバイルの又は据え置き型のいかなるデバイスであってもよく、例えば、限定ではないが、例えばユーザ機器、モバイルフォン、スマートフォン、センサ、メータ、車両、家庭電化製品、医療用電化製品、メディアプレーヤ、カメラ、Ｍ２Ｍ（Machine  to  Machine）デバイス、又は、例えば、限定ではないが、テレビジョン、無線機、照明器具、タブレットコンピュータ、ラップトップ若しくはパーソナルコンピュータ（ＰＣ）といった任意のタイプの消費者向け電子機器であってよい。デバイスは、他のデバイス又はサーバといった他のエンティティとの間で無線アクセスネットワークを介して音声及び／又はデータを通信可能とされる、ポータブルな、ポケットに格納可能な、手持ち型の、コンピュータ内蔵型の、又は車両搭載型のデバイスであってよい。
【０００４】
デバイスは、通信ネットワークとの間で無線通信することを可能とされる。通信は、例えば、２つのデバイス間で、デバイスと通常の電話との間で、及び／又はデバイスとサーバとの間で、無線アクセスネットワーク、及び可能性としては１つ以上のコアネットワーク、及び可能性としてはインターネットを介して、実行され得る。
【０００５】
通信ネットワークは、複数のセルエリアに分割され得る地理的エリアをカバーし、よって、セルラネットワークとも呼ばれる。各セルエリアは、使用される技術及び用法に依存して、例えば発展型ノードＢ（ｅＮＢ）、ｅＮｏｄｅＢ、ＮｏｄｅＢ、Ｂノード、又はＢＴＳ（Base  Transceiver  Station）といわれ得ることもある、基地局、例えば無線基地局（ＲＢＳ）によりサービスされる。基地局は、当該基地局のレンジ内において、デバイスとの間で通信する。
【０００６】
デバイスは、異なるモード、即ち、アイドルモード又は接続モード中であり得る。モードは、状態（state）といわれてもよい。アイドルモードにおいて、デバイスは、例えば、通話中ではなく、即ち、デバイスは“何も行って”おらず、アクティブ化されたどのようなコンテキストをも有さない。デバイスが接続モードにある場合、デバイスは、例えば通話中であり、即ち、デバイスは“何かを行って”いる。デバイスが接続モードにある場合にのみ、デバイスとネットワークとの間でデータが送信される。
【０００７】
デバイスに加えて、通信ネットワークは、アクセスネットワーク及びコアネットワーク内に複数のノードも含む。このようなノードは、例えば、ＧＧＳＮ、ＳＧＳＮ、ＭＭＥ、ＰＧＷ又はＳＧＷであり得る。ＧＧＳＮは、ゲートウェイＧＰＲＳサポートノードの略称であり、ＳＧＳＮは、サービングＧＰＲＳサポートノードの略称であり、ここでＧＰＲＳは、汎用パケット無線サービスについての略称である。ＭＭＥは、モビリティ管理エンティティの略称である。ＰＧＷは、ＰＤＮゲートウェイの略称であり、ここでＰＤＮは、パケットデータネットワークの略称である。ＳＧＷは、サービングゲートウェイの略称である。ＧＧＳＮは、ＧＰＲＳコアネットワークと外部パケット交換ネットワーク、例えばインターネットとの間のインターワーキングを担当するネットワークゲートウェイノードである。ＧＧＳＮは、双方の側においてインターネットプロトコル（ＩＰ）を有する。同様に、ＰＧＷは、ＬＴＥ（Long  Term  Evolution）コアネットワークと外部のパケット交換ネットワーク、例えばインターネット、との間のインターワーキングを担当するネットワークゲートウェイノードである。
【０００８】
通信ネットワークは、２Ｇ  ＧＳＭ及び３Ｇ  ＵＭＴＳアクセスについてはＳＧＳＮであってよく、ＬＴＥアクセスについてはＭＭＥであり得る、モビリティ管理ノードを含む。ＳＧＳＮは、（ＧＴＰｖ２に基づき）Ｓ４−ＳＧＳＮに、及び、（ＧＴＰｖ１に基づき）Ｇｎ／Ｇｐ  ＳＧＳＮに、さらに分類され得る。ＳＧＳＮは、その地理的サービスエリア内において、デバイスから及びデバイスへのデータパケットの配信を担当するネットワークノードである。ＳＧＳＮは、制御機能を提供し、状態（states）、ページング、認証、モビリティ、ローミング、及びその他のベアラ管理機能を管理する。ＳＧＳＮは、デバイスにとって、パケットネットワークへのアクセスポイントである。ＳＧＳＮは、一方側では無線アクセスを、他方側ではＩＰを理解している。ＳＧＳＮは、Ｓ４インタフェースをサポートするＳＧＳＮである、Ｓ４−ＳＧＳＮであり得る。ＭＭＥは、アクセスネットワークのための制御ノードである。ＳＧＳＮ及びＭＭＥは、１つの物理ノードに実装されてよく、そのため、ＳＧＳＮ／ＭＭＥといわれ得る。ＳＧＳＮ及びＭＭＥは、別個の物理ノードであってもよい。Ｓ４−ＳＧＳＮ、ＭＭＥ、及び組み合わされたＳＧＳＮ／ＭＭＥを指すために、以下のテキストにおいては、モビリティ管理ノードという用語が使用される。
【０００９】
上で既に示されたように、ＰＧＷは、デバイスのためのトラフィックの出口及び入口のポイントであることにより、デバイスから外部のパケットデータネットワークへの接続性を提供するノードである。ＳＧＷは、ユーザデータパケットをルーティングして転送し、それと共に、ｅノードＢ間のハンドオーバの期間中にユーザプレーンのためのモビリティアンカーとしても、及び、ＬＴＥ（Long  Term  Evolution）とその他の３ＧＰＰ（Third  Generation  Partnership  Project）技術との間でのモビリティのためのアンカーとしても働くノードである。
【００１０】
ＰＬＭＮ（Public  Land  Mobile  Network）は、公衆へ地上モバイル通信サービスを提供するネットワークである。ＰＬＭＮは、デバイスに対して通信可能性を提供する。モバイルサービスを提供する各事業者は、それ自体のＰＬＭＮを有し得る。ＰＬＭＮサービスへのアクセスは、デバイス間の通信を伴うエアインタフェースという手段により達成される。ＰＬＭＮは、呼をルーティングするために、公衆交換電話ネットワーク（ＰＳＴＮ）に接続されている。３ＧＰＰによれば、ＰＬＭＮエリアは、その中でＰＬＭＮが通信サービスをデバイスに提供する地理的エリアである。ＰＬＭＮは一般に、国境により限定されている。国家規制に依存して、１つの国につき２つ以上のＰＬＭＮが存在することがある。
【００１１】
デバイスは、１つのＰＬＭＮ内に位置して当該１つのＰＬＭＮによりサービスされてよく、他のＰＬＭＮに変更し、即ち、例えばデバイスが１つの国から他の国へと移動するときに、デバイスは、サービングネットワーク（ＳＮ）を変更する。ＰＬＭＮ変更は、ＳＧＷ−ＣＤＲクロージャトリガ及びＰＧＷ−ＣＤＲクロージャトリガのうちの一方であり、そのレコードの期間中に使用されるサービングノードＰＬＭＮ、モバイル国コード（ＭＣＣ）、及びモバイルネットワークコード（ＭＮＣ）を示すサービングネットワーク、即ちサービングノードＰＬＭＮ識別子は、ＳＧＷ−ＣＤＲ及びＰＧＷ−ＣＤＲにおいて必須のフィールドである。課金データレコードの短縮形であるＣＤＲは、料金請求（billing）及び会計（accounting）において使用するための課金可能なイベントに関する情報の、フォーマット化された集まりである。このような課金可能なイベントの例は、呼セットアップの時間、呼の持続期間、伝達されるデータの量などである。ＭＣＣ及びＭＮＣは双方とも、国際モバイル加入者アイデンティティ（ＩＭＳＩ）の一部である。ＣＤＲは、以下の２つのパラメータで分類され得る。
・当該ＣＤＲが生成されたノード、即ち、ＧＧＳＮ、ＳＧＳＮ、ＰＧＷ、ＳＧＷなど。
・当該ＣＤＲが課金しようとしているサービス又はアクティビティのタイプ、即ち、ＭＢＭＳ（Multimedia  Broadcast  Multicast  Services）、モビリティ、ロケーション要求など。
【００１２】
サービングネットワークは、デバイスが登録されているネットワークとして定義され得る。サービングネットワークは、サービングネットワークＩＤで識別され得る。サービングネットワークは、サービングＰＬＭＮともいわれ得る。デバイスは、一度に２つ以上のネットワークに登録してよい。デバイスは、ソースサービングネットワークによりサービスされる状態からターゲットサービングネットワークによりサービスされる状態へと変化してよく、結果的に、同じモビリティ管理ノードに登録されるか、又は、ソースモビリティ管理ノードに登録される状態からターゲットモビリティ管理ノードに登録される状態へと変化する。以下において、ソースという用語は、デバイスの以前のロケーションに関連付けられ、ターゲットという用語は、デバイスの現在の又は今後のロケーションに関連付けられる。ソースの代わりに古いという用語が使用されてよく、ターゲットの代わりに新しいという用語が使用されてよい。
【００１３】
ＰＬＭＮ情報は、ＰＣＣ（Policy  and  Charging  Control）にとっても重要である。例えば過剰なシグナリング、引き起こされる重複するレポーティングといった副作用を伴わずに、サービングネットワークに関する最新の情報でＳＧＷ及びＰＧＷを更新した状態に保つためには、サービングネットワークに関する情報を、モビリティ管理ノードが正確に、かつスマートにレポートすることが重要である。
【００１４】
サービングネットワークに関する情報をレポートするための包括的な解決策を形成するために、２種類のインタフェースの更新が必要とされる。
【００１５】
［モビリティ管理ノードの変更を伴わない（非モビリティ）サービングネットワーク変更レポーティング］
３ＧＰＰ仕様において、アイドルモード中のデバイスについて遅延レポーティング（delayed  reporting）メカニズムが採用されており、モビリティ管理ノード内サービングネットワーク変更のためのその手続はベアラ修正要求（ＭＢＲ）メッセージをサービングモビリティ管理ノードからＳＧＷへ送信することを本質的に含まず、各パケットデータネットワーク（ＰＤＮ）に対して１つのベアラ修正要求メッセージが義務付けられるサービス要求手続が、デバイスが接続モードに入るときに開始されるであろうと想定されている。よって、サービス要求期間中のベアラ修正要求は、いずれにしても、サービングネットワーク情報要素（ＩＥ）を、ＳＧＷを介してＰＧＷへ搬送する。サービングネットワークＩＥは、サービングネットワークのＩＤである。この遅延レポーティングメカニズムは、ゲートウェイへの余分なシグナリングを回避する傾向を有する。しかしながら、サービス要求手続は、いくつかのシナリオについて、デバイスがアイドルモードから接続モードに向かうときに必ずしも発生しないかもしれない。上述のサービス要求は、無線アクセスベアラを確立するために、存在するアップリンクデータ又はダウンリンクデータの送信先であるデバイス又はネットワークにより使用される手続である。
【００１６】
この非モビリティ手続において、モビリティ管理ノードは、Ｓ４−ＳＧＳＮ又は組み合わされたＳＧＳＮ／ＭＭＥである。
【００１７】
上述のようなモビリティ管理ノード内サービングネットワーク変更は、デバイスが、同じモビリティ管理ノードに依然として接続されたままで、即ち、モビリティ管理ノードを変更することなく、サービングネットワークを変更するケースを指す。これは、非モビリティ手続といわれてもよく、その理由は、モビリティ管理ノードの変更が無いためである。
【００１８】
しかしながら、サービス要求手続は、いくつかの実施形態について、デバイスのアイドルモードから接続モードへの変化時に常に発生する訳ではない。
【００１９】
３ＧＰＰは、サービングネットワークが変化したときにのみ、ＳＧＷへ送信されるベアラ修正要求内にサービングネットワークＩＥを含めるものとすることに合意している。
【００２０】
一方、３ＧＰＰ  ＳＡ２は、デバイスがＥＣＭ＿ＩＤＬＥ状態にある場合にサービングＰＬＭＮ変更レポーティングが遅延されてよいことに合意しており、即ち、ユーザプレーンのセットアップが無いトラッキングエリア内更新（ＴＡＵ）の期間中におけるサービングＰＬＭＮ変更のケースにおいて、ＭＭＥは、変更されたサービングＰＬＭＮを、次のサービス要求手続においてＳＧＷへレポートしてよい。ＥＣＭは、発展型パケットシステム（ＥＰＳ）接続管理の短縮形であり、ＥＣＭ＿ＩＤＬＥは、デバイスと発展型パケットコア（ＥＰＣ）との間のシグナリング接続性を記述する状態である。デバイスは、当該デバイスとネットワークとの間に非アクセス層（ＮＡＳ）シグナリング接続が存在しない場合、ＥＣＭ＿ＩＤＬＥ状態にある。ＥＣＭ＿ＩＤＬＥ状態にあるデバイスは、セル選択又はセル再選択及びＰＬＭＮ選択を実行する。
【００２１】
モビリティ管理ノードの変更を伴わないトラッキングエリア更新のケースにおいて、サービングネットワーク、タイムゾーン（ＴＺ）、又はユーザＣＳＧ情報（ＵＣＩ）の変更が、次のサービス要求内においてシグナリングされる。アイドルデバイスについての遅延されたこのレポーティングは、Ｓ４インタフェースをサポートするＳＧＳＮであるＳ４−ＳＧＳＮに対して適用可能である。アイドルモードシグナリング削減（ＩＳＲ）がアクティブではない場合のデバイスにより開始されるサービス要求であって、但しサービングネットワークが以前のモビリティ手続の期間中に変化し、即ち、モビリティ管理ノード内トラッキングエリア更新／ルーティングエリア更新（ＲＡＵ）であれば、その変更はＰＧＷへ未だレポートされていない。
【００２２】
ＣＳＧは、クローズド加入者グループの短縮形である。３ＧＰＰによれば、クローズド加入者グループは、ＰＬＭＮの１つ以上のセルにアクセスすることが許容されているものの制限されたアクセスを有する、一事業者の加入者を識別する。ＣＳＧは、ＣＳＧアイデンティティ（ＣＳＧ  ＩＤ）と呼ばれる一意の識別子で識別されてよく、当該ＣＳＧ  ＩＤは、ＣＳＧの権限付与されたメンバーのためのアクセスを円滑化するために、デバイスによって使用される。ＣＳＧ  ＩＤは、ＵＣＩに含まれる。ＵＣＩはさらに、アクセスモード及びＣＳＧメンバーシップ標識を含む。ＣＳＧ加入者サーバは、ローミングデバイスのためにＣＳＧ加入データを記憶し得る。
【００２３】
３ＧＰＰにおけるレポーティング原理は、サービングネットワークのレポーティングが義務付けられているものの、ＳＧＷ及び／又はＰＧＷに向かってフラッディングする潜在的なシグナリングは回避されるべきであり、デバイスがアイドルモードにある場合にはサービングネットワーク変更を直ちにレポートする必要がないということは明らかである。しかしながら、アイドルデバイスについての、サービングネットワークの変更をレポートするための現行のアプローチを用いると、ＳＧＷ及び／又はＰＧＷは、以下のシナリオにおいて、サービングネットワークに関する最新情報を得ることに失敗するであろう。
・ＷＣＤＭＡ（Wideband  Code  Division  Multiple  Access）において、デバイスがサービングネットワーク変更でルーティングエリア内更新を実行してアイドルに戻った後：後続のサービス要求において、Ｓ４−ＳＧＳＮは、無線リソースを節約するためにペイロード保留（payload  pending）を有するベアラコンテキストのために、無線アクセスベアラ（ＲＡＢ）を選択的にセットアップし得る。よって、サービングネットワーク変更は、Ｓ４−ＳＧＳＮが無線アクセスベアラをセットアップした対象のＰＤＮ接続へしかレポートされない。
・ＷＣＤＭＡにおいて、デバイスがサービングネットワーク変更でルーティングエリア内更新を実行してアイドルに戻った後：ＰＧＷは、ベアラ生成、又はベアラ更新、又はベアラ削除の動作を開始し、Ｓ４−ＳＧＳＮは、他のベアラのためにユーザプレーンをセットアップしないかもしれない。よって、当該手続内にベアラ修正要求メッセージは存在しないであろう。ベアラ生成／更新／削除の後、ＳＧＷ／ＰＧＷは、最新のサービングネットワークについて知らされない。
・ＷＣＤＭＡにおいて、ダイレクトトンネルが使用されない場合：サービス要求手続にベアラ修正要求は存在しないであろう。よって、後続のサービス要求は、サービングネットワーク変更をレポートするために依拠されないかもしれない。
・ＧＳＭ（Global  System  for  Mobile  Communications）において：既存の仕様によれば、サービス要求手続は存在せず、即ち、デバイスがアイドル状態からレディ状態に戻るときにＳＧＷへ送信されるべき追加的なベアラ修正要求メッセージは存在しない。
【００２４】
上述のダイレクトトンネルは、無線アクセスネットワーク、例えば無線ネットワークコントローラ（ＲＮＣ）とＳＧＷとの間に、モビリティ管理ノードが直接的なユーザプレーントンネルを確立することを可能にする特徴である。
【００２５】
［モビリティ管理ノードの変更を伴う（モビリティ）サービングネットワーク変更レポーティング］
３ＧＰＰは、必要な情報をターゲットモビリティ管理ノードに提供して、サービングネットワークの変更がいつ存在するのかを判断する目的で、サービングネットワークＩＥが再配置転送要求メッセージ内に含まれるべきであると述べている。モビリティ管理ノード間アイドルモビリティ、例えば、トラッキングエリア更新／ルーティングエリア更新のケースにおいて、ターゲットモビリティ管理ノードは、ＧＵＴＩ（Globally  Unique  Temporary  ID）／旧ＲＡＩ（Routing  Area  Identification）内のＰＬＭＮを、現在のＴＡＩ（Tracking  Area  Identity）／ＲＡＩ内のＰＬＭＮと比較し得る。ＴＡＩは、トラッキングエリアのアイデンティティであり、ＲＡＩは、ルーティングエリアのアイデンティティである。
【００２６】
モビリティ手続において、モビリティ管理ノードは、Ｓ４−ＳＧＳＮ、スタンドアロン式ＭＭＥ、又は組み合わされたＳＧＳＮ／ＭＭＥである。
【００２７】
上述のように、モビリティ管理ノード間サービングネットワーク変更は、デバイスがサービングネットワークを変更し、また、ソースモビリティ管理ノードに接続されている状態からターゲットモビリティ管理ノードに接続されている状態へと変化するケースを指す。これは、モビリティ手続といわれてもよく、その理由は、モビリティ管理ノードの変更が存在するためである。
【００２８】
この情報は、サービングネットワークに関する最新情報がゲートウェイ、即ちＳＧＷ及びＰＧＷへレポート済みであるか否かをターゲットモビリティ管理ノードが知得するには不十分である。
【００２９】
モビリティ管理ノード間アイドルモビリティ、例えばトラッキングエリア更新／ルーティングエリア更新の期間中に、ターゲットモビリティ管理ノードは、ソースモビリティ管理ノードにおいて、旧ＲＡＩ／を介して、ソースＭＭＥにおいてＧＵＴＩを介して使用されているＰＬＭＮと共に、現行のＴＡＩ／ＲＡＩにおけるＰＬＭＮを知得する。モビリティ管理ノード間ハンドオーバの期間中に、ソースモビリティ管理ノードは、再配置転送要求メッセージ内にサービングネットワークＩＥを含ませて、サービングネットワークレポーティングの前提条件であるサービングネットワーク変更がいつ存在するのかをターゲットモビリティ管理ノードがチェックすることを支援する。
【００３０】
ターゲットモビリティ管理ノードは、ソースサービングネットワークとターゲット／現在のサービングネットワークとを比較し、それに応じてさらなるアクションをとる：サービングネットワークが変化した場合、又はモビリティ管理ノードがソースモビリティ管理ノードからソースサービングネットワーク情報を受信していない場合、モビリティ管理ノードは、そのメッセージ、即ちベアラ修正要求内に、新たなサービングネットワークＩＥを含める。
【発明の概要】
【発明が解決しようとする課題】
【００３１】
しかしながら、例えばデバイスのサービングネットワークが変化しない場合には、ターゲットモビリティ管理ノードは、最新のサービングネットワーク情報がＳＧＷへとレポート済みであるか否かの知識を有さず、ソースモビリティ管理ノード（例えば、ＳＧＳＮ／ＭＭＥ）が“遅延レポーティングメカニズム”に起因してサービングネットワークに関する情報をＳＧＷへレポートしていない可能性が依然として存在する。
【００３２】
確かに、現行の３ＧＰＰが記述しているように、ターゲットモビリティ管理ノードは、ＳＧＷ再配置手続無しでモビリティ管理ノード間モビリティの期間中にサービングネットワークが変化することを検出すると、新たなサービングネットワークを確実にレポートするであろう。しかし、ターゲットモビリティ管理ノードは、現在の３ＧＰＰ仕様において仕様化されている条件に従って、サービングネットワークが変化していない場合には現在のサービングネットワークをレポートしないであろう。ソースモビリティ管理ノードがサービングネットワークをＳＧＷへ既にレポートした場合又はそうでない場合を示すレポートステータス情報の欠如に起因して、ターゲットモビリティ管理ノードは、サービングネットワークが変更されないケースにおいて、受信されるサービングネットワークＩＥに基づくのみでは、サービングネットワークに関する情報をレポートすべきか否かを決定することができないであろう。なぜなら、ソースモビリティ管理ノードはそれをレポートしたかもしれず、又はアイドルデバイスのための“遅延レポーティング”メカニズムに起因してそれを未だレポートしていないかもしれない、ということがあり得るからである。
【００３３】
ステータスレポート情報の欠如というこの事実によって、ターゲットモビリティ管理ノードは、デバイスにおいて移動中のものについてのその未変更のサービングネットワークについてレポートするか否かのジレンマに陥る。いずれにしてもサービングネットワークがレポートされるのであれば、重複するレポーティングが引き起こされかねず、よって、不必要なシグナリング負荷が誘発されるであろう。これは、全てのモビリティ管理ノード間モビリティのケースの中で、サービングネットワークが変化しないモビリティが最も多くなりそうなケースであるはずという推測に起因する。サービングネットワークがレポートされていない場合、ＳＧＷ／ＰＧＷ内のサービングネットワークは更新されないかもしれず、結果的に、例えばＳＧＷ−ＣＤＲ及びＰＧＷ−ＣＤＲ内の誤った情報といったいくつかの問題が引き起こされるであろう。
【００３４】
［タイムゾーン及びＵＣＩのレポート］
サービングネットワークのレポーティングについての上述した問題は、タイムゾーン（ＴＺ）及びＵＣＩのレポートについても存在する。タイムゾーン及びＵＣＩは、デバイスに関連し、即ちデバイスが位置するタイムゾーンであり、及び、ＵＣＩはデバイスが属するクローズド加入者グループに関連する。
【課題を解決するための手段】
【００３５】
よって、ここでの実施形態の目標は、上記の欠点のうちの少なくとも１つをなくすことと、サービングネットワーク並びにタイムゾーン及びＵＣＩのうちの少なくとも１つの高度化されたレポーティングを提供することとである。
【００３６】
第１の実施態様によれば、当該目的は、通信ネットワークにおいて情報をハンドリングするための、モビリティ管理ノードにおける方法により達成される。モビリティ管理ノードは、サービングネットワークによりサービスされる無線デバイスに関連付けられる。モビリティ管理ノードは、サービングネットワーク又はタイムゾーン若しくはＵＣＩのうちの少なくとも１つが無線デバイスについて変更されたことに関する情報、及び、当該変更がモビリティ管理ノードに関連付けられるＳＧＷ１０５へ送信されていないことに関する情報を取得する。サービングネットワーク並びにタイムゾーン及びＵＣＩのうちの少なくとも１つが無線デバイスについて変更され、かつ当該変更に関する情報がＳＧＷへ送信されていない場合に、モビリティ管理ノードは、変更されたサービングネットワーク並びにタイムゾーン及びＵＣＩのうちの少なくとも１つに関する情報をＳＧＷへ送信し、ＳＧＷが当該情報をＰＧＷへ転送することを可能とする。
【００３７】
第２の実施態様によれば、当該目的は、通信ネットワークにおいて情報をハンドリングするためのモビリティ管理ノードにより達成される。モビリティ管理ノードは、サービングネットワークによりサービスされる無線デバイスに関連付けられるように構成される。モビリティ管理ノードは、サービングネットワーク又はタイムゾーン若しくはＵＣＩのうちの少なくとも１つが無線デバイスについて変更されたことに関する情報、及び、当該変更がモビリティ管理に関連付けられるＳＧＷへ送信されていないことに関する情報を取得するように構成される取得ユニットを含む。モビリティ管理ノードは、サービングネットワーク並びにタイムゾーン及びＵＣＩのうちの少なくとも１つが無線デバイスについて変更された場合、かつ当該変更に関する情報がＳＧＷへ送信されていない場合に、変更されたサービングネットワーク並びにタイムゾーン及びＵＣＩのうちの少なくとも１つに関する情報をＳＧＷへ送信し、ＳＧＷが当該情報をＰＧＷへ転送することを可能とするように構成される送信機を含む。
【００３８】
情報が変化した場合、及び、当該情報が以前にレポートされていない場合にのみ、サービングネットワーク並びにタイムゾーン及びＵＣＩのうちの少なくとも１つの変更に関する当該情報をモビリティ管理ノードがＳＧＷへ送信することから、レポーティングは、最少の追加的なシグナリングにより実行され、よって、サービングネットワーク並びにタイムゾーン及びＵＣＩのうちの少なくとも１つのレポーティングが高度化される。
【発明の効果】
【００３９】
ここでの実施形態は、多くの利点をもたらし、それらのうち、例の非網羅的なリストは以下の通りである。
【００４０】
ここでの実施形態は、ＥＰＣネットワーク環境におけるサービングネットワーク並びにタイムゾーン及びＵＣＩのうちの少なくとも１つに関する情報のレポーティングの重大な課題を、最小限のシグナリングへの影響と共に解決し、例えば、サービングネットワーク変更をレポートするための追加的なＳ５／Ｓ８シグナリングが回避される。一方、ターゲットモビリティ管理ノードのサービングネットワークレポーティングケイパビリティを強化すること、即ち、サービングネットワークが変化した場合にのみ当該サービングネットワークがレポートされること、の目的そのものは、レポートステータスをサービングネットワークと共にターゲットモビリティ管理ノードへ配信することにより遂行される。Ｓ５／Ｓ８が、ＳＧＷとＰＧＷとの間のインタフェースであることに留意されたい。Ｓ８は、デバイスが異なる事業者間でローミングする場合に使用され、その一方で、Ｓ５は、ネットワーク内部である。
【００４１】
ここでの実施形態は、無線リソースを節約する利点を提供し、即ち、ＥＰＳベアラによりデバイスへ搬送されるために保留中であるペイロードを伴う当該ＥＰＳベアラのために、ＳＧＳＮが無線アクセスベアラを選択的にセットアップする、というシナリオによってカバーされる。
【００４２】
ここでの実施形態の他の利点は、３ＧＰＰ仕様が改善され、これらインタフェース、即ち、Ｓ１１（ＭＭＥ−ＳＧＷ）、Ｓ４（Ｓ４−ＳＧＳＮ−ＳＧＷ）、Ｓ１６（Ｓ４−ＳＧＳＮ−Ｓ４−ＳＧＳＮ）、Ｓ１０（ＭＭＥ−ＭＭＥ）、Ｓ３（ＳＧＳＮ−ＭＭＥ）、Ｓ５／Ｓ８（ＳＧＷ−ＰＧＷ）、において伝えられるいくつかのＧＰＲＳトンネリングプロトコルバージョン２（ＧＴＰｖ２）メッセージが高度化されることである。
【００４３】
さらに、ここでの実施形態の利点は、サービングネットワーク並びにタイムゾーン及びＵＣＩのうちの少なくとも１つの変更をレポートするために、本実施形態が、必要とされるベアラ修正シグナリングを節約することである。ＰＧＷによりトリガされる専用シグナリングが存在しない場合、サービングネットワーク並びにタイムゾーン及びＵＣＩのうちの少なくとも１つの変更をレポートするための、１つのＰＤＮ接続毎の追加的なベアラ修正要求メッセージが、いずれにしても必要とされ、よって利用される。
【００４４】
ここでの実施形態は、上述の特徴及び利点に限定されない。当業者は、以下の詳細な説明を読むと、追加的な特徴及び利点を認識するであろう。
【図面の簡単な説明】
【００４５】
ここでの実施形態については、次に、本実施形態を例示して以下の図を含む添付の図面を参照することにより、以下の詳細な説明において、より詳細にさらに説明する。
【００４６】
【図１】図１は、通信ネットワークの実施形態を例示する概略ブロック図である。
【図２】図２は、通信ネットワークにおける方法の実施形態を例示するシグナリング図である。
【図３】図３は、通信ネットワークにおける非モビリティ手続の実施形態を例示するシグナリング図である。
【図４】図４は、通信ネットワークにおけるモビリティ手続の実施形態を例示する概略ブロック図である。
【図５】図５は、通信ネットワークにおけるモビリティ手続の実施形態を例示するシグナリング図である。
【図６】図６は、通信ネットワークにおけるモビリティ手続の実施形態を例示するシグナリング図である。
【図７】図７は、モビリティ管理ノードにおける方法の実施形態を例示するフロー図である。
【図８】図８は、モビリティ管理ノードの実施形態を例示する概略ブロック図である。
【発明を実施するための形態】
【００４７】
これら図面は必ずしも縮尺通りであるという訳ではなく、或る特徴の寸法は、明瞭にするために誇張されていることがある。重きを置く対象は、その代わりに、ここでの実施形態の原理を例示することである。
【００４８】
ここでの実施形態は、サービングネットワーク並びにタイムゾーン及びＵＣＩのうちの少なくとも１つのレポートを高度化し、それにより、ＳＧＷ及びＰＧＷは、モビリティシナリオ及び非モビリティシナリオの双方において、最少の追加的なシグナリングにより、サービングネットワーク並びにタイムゾーン及びＵＣＩのうちの少なくとも１つに関する最新情報を適時に有する。モビリティ管理ノードは、サービングネットワーク並びにタイムゾーン及びＵＣＩのうちの少なくとも１つに関する最新情報がＳＧＷ及びＰＧＷへとレポート済みであるか否かを知得するために、充分な情報を必要とする。
【００４９】
ここでの実施形態は、Ｓ４／Ｓ１１及び／若しくはＳ５／Ｓ８インタフェースに、並びに／又はＳ１０／Ｓ３／Ｓ１６インタフェースにそれぞれ関連し、改善により、有益なサービングネットワーク並びに／又はタイムゾーン及び／若しくはＵＣＩのレポートメカニズムが取得される。Ｓ４は、ＳＧＳＮとＳＧＷとの間のインタフェースである。Ｓ１１は、ＭＭＥとＳＧＷとの間のインタフェースである。Ｓ５は、ＳＧＷとＰＧＷとの間のインタフェースであり、Ｓ１１は、ＭＭＥとＳＧＷとの間のインタフェースである。Ｓ１０は、複数個のＭＭＥ間のインタフェースである。Ｓ３は、ＳＧＳＮとＭＭＥとの間のインタフェースであり、Ｓ１６は、複数個のＳＧＳＮ間のインタフェースである。
【００５０】
図１は、ここで記載される実施形態が実装され得る通信ネットワーク１００を描く。通信ネットワーク１００は、いくつかの実施形態において、例えばＬＴＥ、ＬＴＥアドバンスト、ＷＣＤＭＡ、ＧＳＭ、若しくは任意のその他の３ＧＰＰ無線アクセス技術などの１つ以上の無線アクセス技術、又は、例えば無線ローカルエリアネットワーク（ＷＬＡＮ）などのその他の無線アクセス技術に適用され得る。
【００５１】
通信ネットワーク１００は、無線デバイス１０３に関連付けられるモビリティ管理ノード１０１を含む。無線デバイス１０３は、サービングネットワーク内に存在しており、当該サービングネットワークによりサービスされている。サービングネットワークは、図面のうちのいくつかにおいてはＳＮ  ＩＤといわれる一意のＩＤを有している。サービングネットワークは、複数個のルーティングエリア又はトラッキングエリアを含み得る。モビリティ管理ノードは、ＭＭＥ、組み合わされたＳＧＳＮ／ＭＭＥ、又はＳ４−ＳＧＳＮであり得る。
【００５２】
無線デバイス１０３は、事業者のネットワークにより提供されるサービス、並びに例えばインターネットへのアクセスのような事業者の無線アクセスネットワーク及びコアネットワークによりアクセスされる先の事業者ネットワーク外のサービスへ加入者がアクセスし得る手段であるデバイスであってよい。無線デバイス１０３は、通信ネットワークにおいて無線チャネル上で通信可能とされるモバイルの又は据え置き型のいかなるデバイスであってもよく、例えば、限定ではないが、例えばユーザ機器、モバイルフォン、スマートフォン、センサ、メータ、車両、家庭電化製品、医療用電化製品、メディアプレーヤ、カメラ、Ｍ２Ｍ（Machine  to  Machine）デバイス、又は、例えば、限定ではないが、テレビジョン、無線機、照明器具、タブレットコンピュータ、ラップトップ若しくはパーソナルコンピュータ（ＰＣ）といった任意のタイプの消費者向け電子機器であってよい。無線デバイス１０３は、他のデバイス又はサーバといった他のエンティティとの間で無線アクセスネットワークを介して音声及び／又はデータを通信可能とされる、ポータブルな、ポケットに格納可能な、手持ち型の、コンピュータ内蔵型の、又は車両搭載型のデバイスであってよい。
【００５３】
無線デバイス１０３は、通信ネットワーク１００との間で無線通信することが可能とされる。通信は、例えば、２つの無線デバイス間で、無線デバイス１０３とサーバとの間で、無線アクセスネットワーク、及び可能性としては１つ以上のコアネットワーク、及び可能性としてはインターネットを介して、実行され得る。
【００５４】
モビリティ管理ノード１０１は、ＳＧＷ１０５に接続されている。モビリティ管理ノード１０１は、Ｓ４−ＳＧＳＮであり、ＳＧＳＮ１０１は、ＳＧＷ１０５に向けてＳ４インタフェースを有し、それにより、Ｓ４−ＳＧＳＮといわれる。モビリティ管理ノード１０１が、組み合わされたＳＧＳＮ／ＭＭＥである場合、組み合わされたＳＧＳＮ／ＭＭＥとＳＧＷ１０５との間のインタフェースは、Ｓ４／Ｓ１１インタフェースである。モビリティ管理ノード１０１がＭＭＥである場合、ＭＭＥとＳＧＷ１０５との間のインタフェースは、Ｓ１１インタフェースである。
【００５５】
ＳＧＷ１０５は、ＰＧＷ１０８に接続されている。無線デバイス１０３が複数個のＰＤＮにアクセスしている場合、その無線デバイス１０３に対して２つ以上のＰＧＷ１０８が存在し得るが、簡潔にするために、ここでは１つのＰＧＷ１０８のみが示されている。
【００５６】
図２は、モビリティ管理ノードに関連付けられるモビリティが存在するのか、又はモビリティ管理ノードに関連付けられる非モビリティが存在するのかに関係なく、通信ネットワーク１００において情報をハンドリングするための方法の一実施形態を例示するシグナリング図である。ここでの実施形態は、特に共有ネットワークが使用されている場合にサービングネットワーク並びに／又はタイムゾーン及び／若しくはＵＣＩのレポーティングタスクをモビリティ管理ノード１０１が遂行するための解決策を提供する。当該方法は、いかなる好適な順序で実行されてもよい以下のステップを含む。
【００５７】
［ステップ２０１］
モビリティ管理ノード１０１は、以下の３つのパラメータ、即ち、サービングネットワーク並びに／又はタイムゾーン及び／若しくはＵＣＩのうちの少なくとも１つが変化したかどうかをチェックする。サービングネットワーク並びにタイムゾーン及びＵＣＩのうちの少なくとも１つすら変化していない場合、モビリティ管理ノード１０１は、どのようなアクションをもとらない。サービングネットワーク並びにタイムゾーン及びＵＣＩのうちの少なくとも１つが変化した場合、当該方法は、ステップ２０２に進む。
【００５８】
［ステップ２０２］
モビリティ管理ノード１０１がステップ２０１において、サービングネットワーク並びにタイムゾーン及びＵＣＩのうちの少なくとも１つが変化したと判定した場合、モビリティ管理ノード１０１は、当該変更に関する情報がＳＧＷ１０５へ送信されたか否かをチェックする。情報がＳＧＷ１０５へ送信された場合、モビリティ管理ノード１０１は、どのようなアクションをもとらない。情報がＳＧＷ１０５へ送信されていない場合、当該方法は、ステップ２０３に進む。
【００５９】
［ステップ２０３］
サービングネットワーク並びにタイムゾーン及びＵＣＩのうちの少なくとも１つが変化しており、かつ以前にＳＧＷ１０５へ送信されていない場合に、モビリティ管理ノード１０１は、変更されたサービングネットワーク並びに／又はタイムゾーン及び／若しくはＵＣＩに関する情報をＳＧＷ１０５へ送信する。
【００６０】
［ステップ２０４］
ＳＧＷ１０５は、変更に関する情報を受信すると、当該情報をＰＧＷ１０８へ転送する。ＰＧＷ１０８は、例えばＣＤＲのために当該情報を使用して、さらなるポリシー決定のために当該情報をＰＣＲＦへレポートし、例えば、サービングネットワーク変更は、異なるＱｏＳをもたらし、ＵＣＩ変更は、異なる課金レートをもたらし、以下同様である。
【００６１】
次に、モビリティ手続及び非モビリティ手続の説明を、非モビリティ手続から行う。
【００６２】
［モビリティ管理ノードの変更を伴わない（非モビリティ）サービングネットワーク／タイムゾーン／ＵＣＩのレポーティング］
この非モビリティ手続において、モビリティ管理ノード１０１は、Ｓ４−ＳＧＳＮ又は組み合わされたＳＧＳＮ／ＭＭＥであり、非モビリティの以下の説明においては、一例としてＳ４−ＳＧＳＮが使用される。ＷＣＤＭＡアクセスに関し、Ｓ４−ＳＧＳＮ１０１は、パケットデータプロトコル（ＰＤＰ）コンテキストがアクティブ化される度毎に、無線デバイス１０３がＳＧＳＮ間ルーティングエリア更新、ＧＳＭシステムからＷＣＤＭＡシステムへのＳＧＳＮ間無線アクセス技術間（ＩＲＡＴ）パケット交換（ＰＳ）ハンドオーバ、又はＳＧＳＮ間サービング無線ネットワークサブシステム再配置という手段のいずれによりアクティブ化されるかに関わらず、ダイレクトトンネル条件をチェックする。ダイレクトトンネルは、データトラフィックがＳ４−ＳＧＳＮ１０１をバイパスすることを可能にし、ネットワーク容量を有意に増大させ、Ｓ４−ＳＧＳＮ１０１がＭＭＥシグナリングサーバとして機能することを可能にする。ルーティングエリア内更新手続又は後続のデバイス開始型サービス要求手続のいずれかにおいて、ダイレクトトンネルが使用されていない場合、サービングネットワーク並びにタイムゾーン及びＵＣＩの変更のうちの少なくとも１つをレポートするために、追加的なベアラ修正要求が必要とされる。
【００６３】
ＧＳＭアクセスに関し、Ｓ４−ＳＧＳＮ１０１は、２Ｇにおいてサービス要求が無いことに起因して、サービングネットワーク並びにタイムゾーン及びＵＣＩの変更のうちの少なくとも１つをレポートするために、追加的なベアラ修正要求を送信する。
【００６４】
変更が未だレポートされていない場合に最新のサービングネットワークをＳＧＷ１０５へピギーバックするために、ベアラ生成応答メッセージ、ベアラ更新応答メッセージ、及びベアラ削除応答メッセージのうちの少なくとも１つ内に、サービングネットワークＩＥ並びにタイムゾーンＩＥ及びＵＣＩ  ＩＥのうちの少なくとも１つが導入される。
【００６５】
Ｓ４−ＳＧＳＮ１０１は、各ＰＤＮ接続レポートステータスを記憶することになる。Ｓ４−ＳＧＳＮ１０１は、サービングネットワーク並びにタイムゾーン及びＵＣＩのうちの少なくとも１つの変更が未だレポートされていないＰＤＮ接続について、ベアラ修正要求メッセージ内に、変更されたサービングネットワークを含めるだけである。
【００６６】
図３のシグナリング図には、サービングネットワーク並びにタイムゾーン及びＵＣＩのうちの少なくとも１つをピギーバックするためのＳ４−ＳＧＳＮ１０１の解決策を有する非モビリティ手続が例示されており、当該非モビリティ手続は、Ｓ４／Ｓ１１及び／又はＳ５／Ｓ８インタフェースを改善する。図３に例証される非モビリティ手続において、タイムゾーンに関する情報は、ＳＧＷ１０５により既に知得されている。図３において、本実施形態は、サービス要求手続から独立したＳ４／Ｓ１１及び／又はＳ５／Ｓ８インタフェースを介して、サービングネットワーク及びＵＣＩのうちの少なくとも１つをレポートするタスクを遂行するために、一例としてＳ４−ＳＧＳＮ１０１を使用しているが、組み合わされたＳＧＳＮ／ＭＭＥが使用されてもよい。むしろ、サービングネットワーク及びＵＣＩのうちの少なくとも１つは、図３のステップ３１２において、ベアラ生成応答メッセージ内でピギーバックされる。同様に、サービングネットワーク及びＵＣＩのうちの少なくとも１つは、ベアラ更新応答メッセージ又はベアラ削除応答メッセージ内でＳＧＷ１０５へピギーバックされてもよい（図３には図示せず）。サービングネットワーク及びＵＣＩのうちの少なくとも１つを配信するための、この“ピギーバック”解決策は、ＭＭＥにも適用可能である。
【００６７】
この“ピギーバック”解決策は、サービングネットワーク及びＵＣＩのうちの少なくとも１つの変更をレポートするための、必要とされるベアラ修正シグナリングを節約する。ＰＧＷ１０８によりトリガされる専用シグナリングが存在しない場合、サービングネットワーク及びＵＣＩのうちの少なくとも１つの変更をレポートするための、１つのＰＤＮ接続毎の追加的なベアラ修正要求メッセージが、いずれにしても必要とされる。図３の例示的な実施形態において、無線デバイス１０３は、１つがＰＧＷ１  １０８ａに向けてのもの、１つがＰＧＷ２  １０８ｂに向けてのものである、２つのＰＤＮ接続を確立している。
【００６８】
どのようなＳ４−ＳＧＳＮ１０１の変更も無い、サービングネットワーク及びＵＣＩの変更のうちの少なくとも１つのレポーティングのための方法は、任意の好適な順序で実行されてよい以下のステップを含む。
【００６９】
［ステップ３０１］
無線デバイス１０３は、ルーティングエリア更新（ＲＡＵ）要求メッセージをＳ４−ＳＧＳＮ１０１へ送信する。無線デバイス１０３のサービングネットワークは、ルーティングエリア内更新の期間中に変化する。
【００７０】
［ステップ３０２］
Ｓ４−ＳＧＳＮ１０１は、ルーティングエリア更新（ＲＡＵ）受付メッセージを無線デバイス１０３へ返信する。
【００７１】
［ステップ３０３］
無線デバイス１０３は、ルーティングエリア更新（ＲＡＵ）完了メッセージをＳ４−ＳＧＳＮ１０１へ送信する。
【００７２】
［ステップ３０４］
Ｉｕインタフェースが解放される。Ｉｕインタフェースは、パケット交換トラフィックのために無線ネットワークコントローラ（ＲＮＣ）１１０をＳ４−ＳＧＳＮ１０１に接続する外部インタフェースである。
【００７３】
［ステップ３０５］
ＰＧＷ１  １０８は、ベアラ生成要求をＳＧＷ１０５へ送信する。
【００７４】
［ステップ３０６］
ＳＧＷ１０５は、ベアラ生成要求をＳ４−ＳＧＳＮ１０１へ転送する。
【００７５】
［ステップ３０７］
Ｓ４−ＳＧＳＮ１０１は、ページングメッセージをＲＮＣ１１０を介して無線デバイス１０３へ送信する。
【００７６】
［ステップ３０８］
無線デバイス１０３は、サービス要求をＳ４−ＳＧＳＮ１０１へ送信する。
【００７７】
［ステップ３０９］
セカンダリＰＤＰコンテキストアクティブ化要求及び応答が、Ｓ４−ＳＧＳＮ１０１と無線デバイス１０３との間で送信される。
【００７８】
［ステップ３１０］
無線デバイス１０３のために１つ以上の無線アクセスベアラを確立するために、及び／又は、既に存在している無線アクセスベアラを修正し若しくは解放するために、無線アクセスベアラ割り当てに関連するメッセージが、Ｓ４−ＳＧＳＮ１０１と無線デバイス１０３との間で送信される。
【００７９】
［ステップ３１１］
Ｓ４−ＳＧＳＮ１０１は、ステップ３０６において送信された要求への応答として、ベアラ生成応答を、好ましくはＳ４インタフェースを介して、ＳＧＷ１０５へ送信する。ベアラ生成応答は、変更されたサービングネットワーク及びＵＣＩのうちの少なくとも１つに関する情報を含み、即ち、当該変更に関する情報は、ベアラ生成応答上でピギーバックされる。タイムゾーンは既知であり、よって、非モビリティ手続において必ずしも送信される訳ではない。
【００８０】
［ステップ３１２］
ＳＧＷ１０５は、変更されたサービングネットワーク及び／又はＵＣＩに関する情報を含むベアラ生成応答をＰＧＷ１  １０８ａへ転送し、よって、ＰＧＷ１  １０８ａは、サービングネットワーク及びＵＣＩのうちの少なくとも１つに関する最新情報を適時に有する。
【００８１】
［ステップ３１３］
無線デバイス１０３とＳ４−ＳＧＳＮ１０１との間のＩｕインタフェースが解放される。
【００８２】
［ステップ３１４］
無線デバイス１０３は、サービス要求をＳ４−ＳＧＳＮ１０１へ送信する。
【００８３】
［ステップ３１５］
Ｓ４−ＳＧＳＮ１０１は、ＰＧＷ２  １０８ｂに関連付けられるベアラ修正要求を、好ましくはＳ４インタフェースを介して、ＳＧＷ１０５へ送信する。ベアラ修正要求は、変更されたサービングネットワーク及び／又はＵＣＩに関する情報を含み、即ち、当該変更に関する情報は、ベアラ修正要求上でピギーバックされる。
【００８４】
Ｓ４−ＳＧＳＮは、ＰＧＷ１  １０８ａ及びＰＧＷ１０８ｂの双方に対してベアラ修正要求メッセージを送信する必要があるが、サービングネットワーク及びＵＣＩのうちの少なくとも１つの変更に関する情報は、ＰＧＷ１へのベアラ修正要求内へと含められず、よって、Ｓ５／Ｓ８シグナリングが削減される。
【００８５】
［ステップ３１６］
ＳＧＷ１０５は、変更されたサービングネットワーク及び／又はＵＣＩに関する情報を含むベアラ修正要求を、ＰＧＷ２  １０８へ転送する。
【００８６】
［ステップ３１７］
ＰＧＷ２  １０８ｂは、ベアラ修正応答をＳＧＷ１０５へ送信する。
【００８７】
［ステップ３１８］
ＳＧＷ１０５は、ベアラ修正応答をＳ４−ＳＧＳＮ１０１へ転送する。
【００８８】
［ステップ３１９］
無線デバイス１０３とＰＧＷ２  １０８ｂとの間でペイロードデータが送信される。
【００８９】
非モビリティ手続について上で説明した。次に以下において、モビリティ手続について説明する。
【００９０】
［モビリティ管理ノードの変更を伴う（モビリティ）サービングネットワーク／タイムゾーン／ＵＣＩのレポーティング］
図４は、モビリティ手続ともいう、無線デバイス１０３が、ソースサービングネットワーク１００ｓによりサービスされる状態からターゲットサービングネットワーク１００ｔによりサービスされる状態へと変化する、通信ネットワーク１００の一実施形態を描く。
【００９１】
通信ネットワーク１００は、無線デバイス１０３に関連付けられるソースモビリティ管理ノード１０１ｓを含む。無線デバイス１０３は、ソースサービングネットワーク１００ｓ内に存在し、当該ソースサービングネットワーク１００ｓによりサービスされる。無線デバイス１０３は、ソースサービングネットワーク１００ｓからターゲットサービングネットワーク１００ｔへ移動し、ソースモビリティ管理ノード１０１ｓに関連付けられる状態からターゲットモビリティ管理ノード１０１ｔに関連付けられる状態へと変化する。図４に例証されたモビリティ手続において、ソースモビリティ管理ノード１０１ｓは、ソースＳ４−ＳＧＳＮ、又は組み合わされたソースＳＧＳＮ／ＭＭＥ、又はソースＭＭＥであってよく、ターゲットモビリティ管理ノード１０１ｔは、ターゲットＳ４−ＳＧＳＮ、又は組み合わされたターゲットＳＧＳＮ／ＭＭＥ、又はターゲットＭＭＥであり得る。ターゲットモビリティ管理ノード１０１ｔは、メッセージ要求をソースモビリティ管理ノード１０１ｓへ送信してよく、ソースモビリティ管理ノード１０１ｓは、メッセージ応答を、ターゲットモビリティ管理ノード１０１ｔへ返信し得る。
【００９２】
ソースサービングネットワーク１００ｓ及びターゲットサービングネットワーク１００ｔは、同じＳＮ  ＩＤ１によって識別される。無線デバイス１０３がソースサービングネットワーク１００ｓ内又はターゲットサービングネットワーク１００ｔ内にある場合、当該無線デバイス１０３は、タイムゾーン１内に位置し、ＣＳＧ  ＩＤ１を有するＵＣＩ内に含まれる。
【００９３】
ソースモビリティ管理ノード１０１ｓ及びターゲットモビリティ管理ノード１０１ｔは、同じＳＧＷ１０５に接続されている。ソースモビリティ管理ノード１０１ｓ及びターゲットモビリティ管理ノード１０１ｔがＳ４−ＳＧＳＮである場合、ソースモビリティ管理ノード１０１ｓ及びターゲットモビリティ管理ノード１０１ｔの各々は、ＳＧＷ１０５に向かうＳ４インタフェースを有する。ソースモビリティ管理ノード１０１ｓ及びターゲットモビリティ管理ノード１０１ｔがＭＭＥ又は組み合わされたＳＧＳＮ／ＭＭＥである場合、一方ではソースモビリティ管理ノード１０１ｓ及びターゲットモビリティ管理ノード１０１ｔの各々と、他方ではＳＧＷ１０５との間のインタフェースは、Ｓ１１インタフェースである。ターゲットモビリティ管理ノード１０１ｔは、ベアラ修正要求メッセージ、ベアラ生成応答、ベアラ削除応答、又はベアラ更新応答をＳＧＷ１０５へ送信し得る。ソースモビリティ管理ノード１０１ｓは、ベアラ修正要求メッセージをＳＧＷ１０５へ送信し得る。
【００９４】
ＳＧＷ１０５は、Ｓ５／Ｓ８インタフェースによりＰＧＷ１０８に接続されている。先に述べたように、無線デバイス１０３が複数個のＰＤＮにアクセスしている場合、その無線デバイス１０３に対して２つ以上のＰＧＷ１０８が存在し得るが、簡潔にするために、ここでは１つのＰＧＷ１０８のみが示されている。
【００９５】
図４に例示されたネットワークノード間で送信されるメッセージについて、図５及び図６を参照して、以下により詳細に説明する。
【００９６】
１つの実施形態において、例えば情報要素（ＩＥ）の形式の標識は、未だレポートされていない、サービングネットワーク並びに／又はタイムゾーン及び／若しくはＵＣＩの何らかの変更が存在する場合を示し得る。標識は、ＰＤＮ接続ベースで“変更レポート済みフラグ（Change  Reported  Flag）”と呼ばれ得る。加えて、現行のＧＴＰｖ２仕様において、ソースモビリティ管理ノード１０１ｓ内の記憶される現在のＵＣＩは、好ましくはコンテキスト応答メッセージ内に含められる。
【００９７】
別の実施形態において、ターゲットモビリティ管理ノード１０１ｔは、ターゲット／現在のサービングネットワーク１００ｔをソースサービングネットワーク１００ｓと比較する代わりに、モビリティ管理ノード間モビリティ手続の一部として、ベアラ修正要求メッセージ内でサービングネットワーク並びに／又はタイムゾーン及び／若しくはＵＣＩの標識のうちの少なくとも１つを常に提供し得る。ＳＧＷ１０５は、ターゲットモビリティ管理ノード１０１ｔから受信されたサービングネットワーク並びにタイムゾーン及びＵＣＩの標識のうちの少なくとも１つをチェックし得る。サービングネットワーク並びにタイムゾーン及び／又はＵＣＩの標識のうちの少なくとも１つの値が変化する場合にのみ、ＳＧＷ１０５は、サービングネットワーク並びにタイムゾーン及びＵＣＩの標識のうちの少なくとも１つをＰＧＷ１０８へ転送する。よって、Ｓ５／Ｓ８インタフェース上の冗長シグナリングが存在しないであろう。
【００９８】
図５は、Ｓ１０／Ｓ３／Ｓ１６インタフェースを改善するモビリティ管理ノード間モビリティの実施形態を例示する。図５において、モビリティ管理ノードは、組み合わされたＳＧＳＮ／ＭＭＥによって例証されているが、モビリティ管理ノードは、Ｓ４−ＳＧＳＮ又は個々のＭＭＥであってもよい。図５に例示される本実施形態についての前提条件は、ソースモビリティ管理ノード１０１ｓが以下の機能性をサポートすることである。
＞モビリティ管理ノード間モビリティのケースにおいて、ソースモビリティ管理ノード１０１ｓが、ターゲットＳＧＳＮ／ＭＭＥ１０１ｔへの１つのＰＤＮ接続毎にレポートステータスを設定する。
＞ターゲットＳＧＳＮ／ＭＭＥ１０１ｔが、ソースサービングネットワーク並びにタイムゾーン及びＵＣＩのうちの少なくとも１つに関する情報を取得し、それを、無線デバイス１０３についての現在のターゲットサービングネットワーク並びに現在のタイムゾーン及び現在のＵＣＩのうちの少なくとも１つと比較する。それらが異なる場合、新たなサービングネットワーク並びにタイムゾーン及びＵＣＩのうちの少なくとも１つをＳＧＷ１０５へレポートするために、３ＧＰＰにおいて定義された現行のハンドリングが継続される。
【００９９】
サービングネットワーク並びにタイムゾーン及びＵＣＩのうちの少なくとも１つが変更されていない場合、ターゲットＳＧＳＮ／ＭＭＥ１０１ｔは、サービングネットワーク並びに／又はタイムゾーン及びＵＣＩのうちの少なくとも１つがいつレポートされるのか、又はいつレポートされないのかを決定するために、標識をさらにチェックする必要がある。
【０１００】
変更がソース側においてＳＧＷ１０５へと既にレポート済みであることを、標識、例えば“変更レポート済みフラグ”が示す場合、ターゲットＳＧＳＮ／ＭＭＥ１０１ｔはもはや、サービングネットワーク並びにタイムゾーン及びＵＣＩのうちの少なくとも１つが再度変化するまで当該変更をレポートする必要がない。
【０１０１】
変更がソース側においてレポートされなかったことを標識が示す場合、ターゲットＳＧＳＮ／ＭＭＥ１０１ｔは、新たなサービングネットワーク並びに／又はタイムゾーン及び／若しくはＵＣＩのうちの少なくとも１つをベアラ修正要求内に含めて、ＳＧＷ１０５へ、最新のサービングネットワーク並びにタイムゾーン及びＵＣＩのうちの少なくとも１つについて通知する。
【０１０２】
標識は、再配置転送要求（foward  relocation  request）メッセージ及び／又はコンテキスト応答メッセージ内に含まれ得る。標識は、ビットマップ型のＩＥとして定義されてよく、ここで各ビットは、サービングネットワーク並びにタイムゾーン及びＵＣＩのうちの少なくとも１つについてのレポートステータスに対応する。サービングネットワーク並びにタイムゾーン及びＵＣＩのうちの少なくとも１つの変更が独立しているためである。アイドルモードモビリティ手続、例えばルーティングエリア更新／トラッキングエリア更新の期間中における、サービングネットワーク並びにタイムゾーン及びＵＣＩのうちの少なくとも１つのレポートを描く図５は、任意の好適な順序で実行されてよい以下のステップを含む。
【０１０３】
［ステップ５０１］
無線デバイス１０３がソースサービングネットワーク１００ｓからターゲットサービングネットワーク１００ｔへ移動したことを当該無線デバイス１０３が検出すると、当該無線デバイス１０３は、ルーティングエリア（ＲＡＵ）更新要求又はトラッキングエリア（ＴＡＵ）更新要求をターゲットＳＧＳＮ／ＭＭＥ１０１ｔへ送信する。
【０１０４】
［ステップ５０２］
ターゲットＳＧＳＮ／ＭＭＥ１０１ｔは、コンテキスト要求をソースＳＧＳＮ／ＭＭＥ１０１ｓへ送信する。
【０１０５】
［ステップ５０３］
ソースＳＧＳＮ／ＭＭＥ１０１ｓは、コンテキスト応答メッセージをターゲットＳＧＳＮ／ＭＭＥ１０１ｔへ送信する。コンテキスト応答メッセージは、標識、例えば変更レポート済みフラグを含む。
【０１０６】
［ステップ５０４］
ターゲットＳＧＳＮ／ＭＭＥ１０１ｔは、コンテキスト確認応答をソースＳＧＳＮ／ＭＭＥ１０１ｓへ送信する。
【０１０７】
［ステップ５０５］
ターゲットＳＧＳＮ／ＭＭＥ１０１ｔは、好ましくはＳ４又はＳ１１インタフェースを介して、ベアラ修正要求をＳＧＷ１０５へ送信する。ベアラ修正要求は、サービングネットワーク並びに／又はタイムゾーン及び／若しくはＵＣＩのうちの少なくとも１つに関する情報を含む。サービングネットワーク並びに／又はタイムゾーン及び／若しくはＵＣＩのうちの少なくとも１つに関する情報は、以下のケースにおいて、ベアラ修正要求内に含まれる。
＞サービングネットワーク並びにタイムゾーン及びＵＣＩのうちの少なくとも１つが変化した場合。
＞サービングネットワーク並びにタイムゾーン及びＵＣＩのうちの少なくとも１つが変化していないが、それがソース側によりレポートされなかった場合。
【０１０８】
［ステップ５０６］
ＳＧＷ１０５は、ベアラ修正要求をＰＧＷ１０８へ転送する。転送されたベアラ修正要求は、サービングネットワーク並びにタイムゾーン及びＵＣＩのうちの少なくとも１つに関する情報を含む。この情報は、ステップ５０５においてサービングネットワーク並びにタイムゾーン及びＵＣＩのうちの少なくとも１つがＳＧＷ１０５により受信されたときに、ベアラ修正要求内に含まれている。ベアラ修正要求は、Ｓ５／Ｓ８インタフェースを介して送信され、ＳＧＷ１０５は、結果としてＳＧＷ−ＣＤＲを閉じる。
【０１０９】
［ステップ５０７］
ＰＧＷ１０８は、ベアラ修正応答をＳＧＷ１０５へ送信する。
【０１１０】
［ステップ５０８］
ＳＧＷ１０５は、ベアラ修正応答をターゲットＳＧＳＮ／ＭＭＥ１０１ｔへ転送する。
【０１１１】
［ステップ５０９］
ターゲットＳＧＳＮ／ＭＭＥ１０１ｔは、当該ターゲットＳＧＳＮ／ＭＭＥ１０１ｔに現在関連付けられている無線デバイス１０３のロケーションを更新／挿入するために、情報をＨＬＲ（Home  Location  Register）１２０へ送信する。ＨＬＲ１２０は、各無線デバイス１０３の詳細を含むデータベースである。
【０１１２】
［ステップ５１０］
ソースＳＧＳＮ／ＭＭＥ１０１ｓは、当該ソースＳＧＳＮ／ＭＭＥ１０１ｓに関連付けられる無線デバイス１０３の以前のロケーションをキャンセルするために、情報をＨＬＲ１２０へ送信する。
【０１１３】
［ステップ５１１］
ターゲットＳＧＳＮ／ＭＭＥ１０１ｔは、ルーティングエリア更新又はトラッキングエリア更新受付メッセージを、無線デバイス１０３へ送信する。
【０１１４】
図６は、上述の標識が再配置転送要求メッセージ内に含められる一実施形態を例示する。上述のように、標識は、ＳＧＷ１０５へレポートされていない、無線デバイス１０３についてのサービングネットワーク並びに／又はタイムゾーン及び／若しくはＵＣＩの変更が存在するかどうかを示す。図６において、モビリティ管理ノードは、組み合わされたＳＧＳＮ／ＭＭＥによって例証されているが、モビリティ管理ノードは、Ｓ４−ＳＧＳＮ又は個々のＭＭＥであってもよい。図６で例証されているモビリティ管理ノード間のハンドオーバ手続は、任意の好適な順序で実行されてよい以下のステップを含む。
【０１１５】
［ステップ６０１］
ソースＲＮＣ／ｅＮＢ１３０ｓは、無線デバイス１０３がソースサービングネットワーク１００ｓからターゲットサービングネットワーク１００ｔへと再配置された場合、再配置必要（relocation  required）メッセージをソースＳＧＳＮ／ＭＭＥ１０１ｓへ送信する。
【０１１６】
［ステップ６０２］
ソースＳＧＳＮ／ＭＭＥ１０１ｓは、再配置必要転送（forward  relocation  required）メッセージをターゲットＳＧＳＮ／ＭＭＥ１０１ｔへ送信する。ソースＳＧＳＮ／ＭＭＥ１０１ｓは、再配置必要メッセージ内に上述の標識を含める。
【０１１７】
［ステップ６０３］
ターゲットＳＧＳＮ／ＭＭＥ１０１ｔは、ハンドオーバ要求をターゲットＲＮＣ／ｅＮＢ１３０ｔへ送信する。
【０１１８】
［ステップ６０４］
ターゲットＲＮＣ／ｅＮＢ１３０ｔは、ハンドオーバ要求確認応答をターゲットＳＧＳＮ／ＭＭＥ１０１ｔへ送信する。
【０１１９】
［ステップ６０５］
ターゲットＳＧＳＮ／ＭＭＥ１０１ｔは、転送要求応答をソースＳＧＳＮ／ＭＭＥ１０１ｓへ送信する。
【０１２０】
［ステップ６０６］
無線デバイス１０３のハンドオーバが実行される。
【０１２１】
［ステップ６０７］
ターゲットＲＮＣ／ｅＮＢ１３０ｔは、ハンドオーバ通知メッセージをターゲットＳＧＳＮ／ＭＭＥ１０１ｔへ送信する。
【０１２２】
［ステップ６０８］
ターゲットＳＧＳＮ／ＭＭＥ１０１ｔは、ベアラ修正要求をＳＧＷ１０５へ送信する。ベアラ修正要求は、サービングネットワーク並びにタイムゾーン及び／又はＵＣＩのうちの少なくとも１つに関する情報が変化した場合、及び／又は、（変化した若しくは変化していない）情報が以前にレポートされていない場合、当該情報を含む。
【０１２３】
［ステップ６０９］
ＳＧＷ１０５は、ベアラ修正要求をＰＧＷ１０８へ転送する。転送されたベアラ修正要求は、サービングネットワーク並びにタイムゾーン及びＵＣＩのうちの少なくとも１つに関する情報を含む。
【０１２４】
［ステップ６１０］
ＰＧＷ１０８は、ベアラ修正応答をＳＧＷ１０５へ送信する。
【０１２５】
［ステップ６１１］
ＳＧＷ１０５は、ベアラ修正応答をターゲットＳＧＳＮ／ＭＭＥ１０１ｔへ転送する。
【０１２６】
［ステップ６１２］
古いリソース、即ち、ソースＲＮＣ  ｅＮＢ１３０ｓ及びソースＳＧＳＮ／ＭＭＥ１０１ｓが解放される。
【０１２７】
他の実施形態において、ターゲットモビリティ管理ノード１０１ｔは、サービングネットワーク並びにタイムゾーン及びＵＣＩのうちの少なくとも１つに関する現在の情報を古いサービングネットワーク並びに／又はタイムゾーン及び／若しくはＵＣＩと比較する代わりであって、標識により支援される代わりに、ベアラ修正要求メッセージ内にサービングネットワーク並びに／又はタイムゾーン及びＵＣＩのＩＥのうちの少なくとも１つを常に含む。ＳＧＷ１０５は、ターゲットモビリティ管理ノード１０１ｔから受信されたサービングネットワーク並びにタイムゾーン及びＵＣＩの情報のうちの少なくとも１つをチェックする。サービングネットワーク並びにタイムゾーン及びＵＣＩのＩＥ情報のうちの少なくとも１つが変化した場合にのみ、ＳＧＷ１０５は、サービングネットワーク並びにタイムゾーン及びＵＣＩの情報のうちの少なくとも１つをＰＧＷ１０８へ転送する。よって、Ｓ５／Ｓ８インタフェース上において冗長シグナリングが存在しないであろう。
【０１２８】
次に、モビリティ管理ノード１００、１００ｔの観点から見たて、上記の方法について説明する。図７は、通信ネットワーク１００において情報をハンドリングするための、モビリティ管理ノード１００、１００ｔにおける本方法を説明するフロー図である。上述のように、モビリティ管理ノード１０１、１０１ｔは、サービングネットワーク１００、１００ｔによりサービスされる無線デバイス１０３に関連付けられる。モビリティ管理ノード１０１、１０１ｔは、モビリティシナリオにおいては、ＭＭＥ、又はＳ４−ＳＧＳＮ、又は組み合わされたＳＧＳＮ／ＭＭＥであってよく、非モビリティシナリオにおいては、Ｓ４−ＳＧＳＮ又は組み合わされたＳＧＳＮ／ＭＭＥであり得る。
【０１２９】
当該方法は、モビリティ管理ノード１００、１００ｔにより実行されることになる、任意の好適な順序で実行されてよい以下のステップを含む。
【０１３０】
［ステップ７０１］
このステップは、図２のステップ２０１及び２０２に対応する。モビリティ管理ノード１００、１００ｔは、サービングネットワーク１００、１００ｔ並びにタイムゾーン及びＵＣＩのうちの少なくとも１つが無線デバイス１０３について変更されたことに関する情報と、当該変更がモビリティ管理ノード１０１、１０１ｔに関連付けられるＳＧＷ１０５へ送信されていないことに関する情報とを取得する。
【０１３１】
［ステップ７０１ａ］
このステップは、図５のステップ５０３及び図６のステップ６０２に対応する。ステップ７０１ａは、ステップ７０１のサブステップである。いくつかの実施形態において、例えばモビリティシナリオにおいて、モビリティ管理ノード１０１、１０１ｔは、無線デバイス１０３に関連付けられるターゲットモビリティ管理ノード１０１ｔであり、無線デバイス１０３は、以前にソースモビリティ管理ノード１０１ｓに関連付けられている。モビリティ管理ノード１０１ｔは、ソースモビリティ管理ノード１０１ｓから標識を受信し得る。標識は、変更に関する情報がＳＧＷ１０５へ送信されたか否かを示す。
【０１３２】
例えば、モビリティシナリオにおいて、無線デバイス１０３がアイドルモードにある場合には、コンテキスト応答メッセージ内で標識が受信されてよく、無線デバイス１０３がアクティブモードにある場合には、再配置転送要求メッセージ内で標識が受信され得る。
【０１３３】
標識は、複数のビットを含む情報要素であり得る。各ビットは、サービングネットワーク並びにタイムゾーン及びＵＣＩのうちの少なくとも１つについてのステータスに対応し得る。ステータスは、変更に関する情報がＳＧＷ１０５へ送信されたか否かを示す。標識は、無線デバイス１０３の１つのＰＤＮ接続に関連付けられてよく、又は、無線デバイス１０３に個々に関連付けられ得る。標識は、変更レポート済みフラグであり得る。
【０１３４】
［ステップ７０１ｂ］
このステップは、ステップ７０１のサブステップであり、ステップ７０１ａの代わりに実行されるステップである。いくつかの実施形態において、例えば非モビリティシナリオにおいて、モビリティ管理ノード１０１、１０１ｔは、サービングネットワーク又はタイムゾーン若しくはＵＣＩのうちの少なくとも１つが変更されたこと、及び、当該変更に関する情報がＳＧＷ１０５へ送信されていないこと、を検出する。
【０１３５】
［ステップ７０２］
このステップは、図２のステップ２０３と、図３のステップ３１１及びステップ３１５と、図５のステップ５０５と、図６のステップ６０８とに対応する。サービングネットワーク並びにタイムゾーン及びＵＣＩのうちの少なくとも１つが無線デバイス１０３について変更され、かつ当該変更に関する情報がＳＧＷ１０５へ送信されていない場合に、モビリティ管理ノード１００、１００ｔは、変更されたサービングネットワーク並びにタイムゾーン及びＵＣＩのうちの少なくとも１つに関する情報をＳＧＷ１０５へ送信し、ＳＧＷ１０５がこの情報をＰＧＷ１０８へ転送することを可能とする。
【０１３６】
いくつかの実施形態において、例えばモビリティシナリオにおいて、変更に関する情報がＳＧＷ１０５へ送信されていないことを標識が示す場合、変更に関する情報は、ベアラ修正要求内で送信される。
【０１３７】
いくつかの実施形態において、例えば非モビリティシナリオにおいて、ＰＧＷ１０８によりトリガされる専用シグナリングが存在する場合、ベアラ更新応答、又はベアラ生成応答、又はベアラ削除応答内で変更に関する情報がＳＧＷ１０５へ送信される。
【０１３８】
いくつかの実施形態において、例えば非モビリティシナリオにおいて、変更に関する情報は、サービングネットワーク及びＵＣＩのうちの少なくとも１つに関する情報を含む。
【０１３９】
いくつかの実施形態において、例えば非モビリティシナリオにおいて、通信ネットワーク１００は、ダイレクトトンネルが通信ネットワーク１００において使用されないＵＴＲＡＮに基づいており、又は、通信ネットワーク１００は、ダイレクトトンネルが通信ネットワーク１００において存在していないＧＳＭに基づいている。
【０１４０】
変更されたサービングネットワーク並びにタイムゾーン及びＵＣＩのうちの少なくとも１つに関する情報は、Ｓ１１／Ｓ４インタフェース及びＳ５／Ｓ８インタフェース上で最少のシグナリングメッセージにより、ＳＧＷ１０５へ送信され得る。
【０１４１】
通信ネットワーク１００において情報をハンドリングするための、図７に示された方法ステップを実行するために、モビリティ管理ノード１００、１００ｔは、図８に示されるような配置構成を含む。モビリティ管理ノード１０１、１０１ｔは、サービングネットワーク１００、１００ｔによりサービスされる無線デバイス１０３に関連付けられるように構成される。いくつかの実施形態において、モビリティ管理ノード１０１、１０１ｔは、無線デバイス１０３に関連付けられるターゲットモビリティ管理ノード１０１ｔであり、無線デバイス１０３は、以前にソースモビリティ管理ノード１０１ｓに関連付けられている。モビリティシナリオにおいて、モビリティ管理ノード１０１、１０１ｔは、スタンドアロン式ＭＭＥ、又はＳ４−ＳＧＳＮ、又は組み合わされたＳＧＳＮ／ＭＭＥであり得る。非モビリティシナリオにおいて、モビリティ管理ノード１０１、１０１ｔは、Ｓ４−ＳＧＳＮ又は組み合わされたＳＧＳＮ／ＭＭＥであり得る。いくつかの実施形態において、通信ネットワーク１００は、ダイレクトトンネルが通信ネットワーク１００において使用されないＵＴＲＡＮに基づいており、又は、通信ネットワーク１００は、ダイレクトトンネルが通信ネットワーク１００において存在していないＧＳＭに基づいている。
【０１４２】
モビリティ管理ノード１０１、１０１ｔは、サービングネットワーク１００、１００ｔ並びにタイムゾーン及びＵＣＩのうちの少なくとも１つが無線デバイス１０３について変更されたことに関する情報と、当該変更がモビリティ管理ノード１０１、１０１ｔに関連付けられるＳＧＷ１０５へ送信されていないことに関する情報とを取得するように構成される取得ユニット８０１を含む。いくつかの実施形態において、取得ユニット８０１は、モビリティ管理ノード１０１、１０１ｔにおいて、サービングネットワーク又はタイムゾーン若しくはＵＣＩのうちの少なくとも１つが変更されたこと、及び、当該変更に関する情報がＳＧＷ１０５へ送信されていないこと、を検出するように構成される。
【０１４３】
いくつかの実施形態において、例えば、モビリティシナリオにおいて、取得ユニット８０１は、受信機８０１ａである。受信機８０１ａは、ソースモビリティ管理ノード１０１ｓから標識を受信するように構成される。標識は、変更に関する情報がＳＧＷ１０５へ送信されたか否かを示し得る。受信機８０１ａは、無線デバイス１０３がアイドルモードにある場合には、コンテキスト応答メッセージ内で標識を受信するように、無線デバイス１０３がアクティブモードにある場合には、再配置転送要求メッセージ内で標識を受信するように、構成され得る。標識は、複数のビットを含む情報要素であり得る。各ビットは、サービングネットワーク並びにタイムゾーン及びＵＣＩのうちの少なくとも１つについてのステータスに対応してよく、ステータスは、変更に関する情報がＳＧＷ１０５へ送信されたか否かを示し得る。標識は、無線デバイス１０３の１つのＰＤＮ接続に関連付けられてよく、又は、無線デバイス１０３に個々に関連付けられ得る。標識は、変更レポート済みフラグであり得る。
【０１４４】
モビリティ管理ノード１０１、１０１ｔは、サービングネットワーク並びにタイムゾーン及びＵＣＩのうちの少なくとも１つが無線デバイス１０３について変更された場合、かつ、当該変更に関する情報がＳＧＷ１０５へ送信されていない場合に、変更されたサービングネットワーク並びにタイムゾーン及びＵＣＩのうちの少なくとも１つに関する情報をＳＧＷ１０５へ送信し、ＳＧＷ１０５が当該情報をＰＧＷ１０８へ転送することを可能とする、ように構成される送信機８０３を含む。送信機８０３は、変更に関する情報がＳＧＷ１０５へ送信されていないことを標識が示す場合、変更に関する情報をベアラ修正要求内で送信するように構成され得る。いくつかの実施形態において、ＰＧＷ１０８によりトリガされる専用シグナリングが存在する場合、送信機８０３は、ベアラ更新応答、又はベアラ生成応答、又はベアラ削除応答内で変更に関する情報をＳＧＷ１０５へ送信するように構成される。いくつかの実施形態において、変更に関する情報は、サービングネットワーク及びＵＣＩのうちの少なくとも１つに関する情報を含む。いくつかの実施形態において、送信機８０３は、変更されたサービングネットワーク並びにタイムゾーン及びＵＣＩのうちの少なくとも１つに関する情報を、Ｓ１１／Ｓ４インタフェース及びＳ５／Ｓ８インタフェース上で最少のシグナリングメッセージにより、ＳＧＷ１０５へ送信する、ように構成される。
【０１４５】
通信ネットワーク１００において情報をハンドリングするための本メカニズムは、ここでの実施形態の機能を実行するためのコンピュータプログラムコードと共に、図８に描かれるモビリティ管理ノード配置構成内のプロセッサ８０５などの１つ以上のプロセッサにより実装され得る。プロセッサは、例えば、デジタル信号プロセッサ（ＤＳＰ）、特定用途向け集積回路（ＡＳＩＣ）プロセッサ、フィールドプログラマブルゲートアレイ（ＦＰＧＡ）プロセッサ、又はマイクロプロセッサであってよい。上述のプログラムコードは、例えば、モビリティ管理ノード１０１、１０１ｔ内にロードされたときに、ここでの実施形態を実行するためのコンピュータプログラムコードを搬送するデータキャリアの形で、コンピュータプログラムプロダクトとして提供されてもよい。１つのこのようなキャリアは、ＣＤ  ＲＯＭディスクの形であり得る。しかしながら、このようなキャリアは、メモリスティックなどのその他のデータキャリアにより実現可能である。コンピュータプログラムコードはさらに、サーバ上の純プログラムコードとして提供されて、モビリティ管理ノード１０１、１０１ｔにダウンロードされてよい。
【０１４６】
モビリティ管理ノード１００、１００ｔはさらに、１つ以上のメモリユニットを含むメモリ８０８を含み得る。メモリ８０８は、モビリティ管理ノード１０１、１０１ｔにおいて実行されるとここでの方法を実行するために、データと、受信されたデータストリームと、パワーレベル測定値と、しきい値と、時間ピリオドと、構成と、スケジューリングと、変更レポート済みフラグと、サービングネットワーク並びにタイムゾーン及びＵＣＩのうちの少なくとも１つに関する情報と、無線デバイス１０３のアイドルモード及び／又は接続モードに関する情報と、情報要素と、メッセージと、アプリケーションとを格納するために使用されるように手配される。
【０１４７】
当業者は、上記のような取得ユニット８０１、受信機８０１ａ、及び送信機８０３が、アナログ回路及びデジタル回路の組み合わせ、並びに／又は、１つ以上のプロセッサであって、プロセッサ８０５などの１つ以上のプロセッサにより実行されると上記のように実行する、例えばメモリに格納されるソフトウェア及び／若しくはファームウェアと共に構成される、１つ以上のプロセッサを指し得ることも認識されるであろう。
【０１４８】
モビリティ管理ノード１００、１００ｔの代替的な実施形態は、図８に示したコンポーネントを上回る追加的なコンポーネントを含んでもよく、それは、上記の機能性のうちのいずれか及び／又は上記の本実施形態をサポートするのに必要な任意の機能性を含む、モビリティ管理ノード１００、１００ｔの機能性の或る実施態様を提供することを担当し得る。
【０１４９】
通信ネットワーク１００はさらに、通信ネットワークノード間での通信をサポートするのに好適な、あらゆる追加的な要素を含んでもよい。例示された通信ネットワークノードは、ハードウェア及び／又はソフトウェアのあらゆる好適な組み合わせを含む通信ネットワークノードを表し得る。
【０１５０】
要約すると、モビリティ管理ノード１０１、１０１ｔは、以下のロジックを有する。
＞サービングネットワーク並びにタイムゾーン及びＵＣＩのうちの少なくとも１つが変化した場合、現在のサービングネットワーク並びに現在のタイムゾーン及び現在のＵＣＩのうちの少なくとも１つをＳＧＷ１０５へ送信する。
＞サービングネットワーク並びにタイムゾーン及びＵＣＩのうちの少なくとも１つが変化していないものの、未だレポートされていない保留中の変更が存在することを標識が示す場合、現在のサービングネットワーク並びにタイムゾーン及びＵＣＩのうちの少なくとも１つをＳＧＷ１０５へ送信する。
【０１５１】
非モビリティのケースに関し、ここでの実施形態は、Ｓ４−ＳＧＳＮ及び組み合わされたＳＧＳＮ／ＭＭＥに適用可能である。モビリティのケースに関し、ここでの実施形態は、組み合わされたＳＧＳＮ／ＭＭＥ、スタンドアロン式ＭＭＥ、及びＳ４−ＳＧＳＮに適用可能である。
【０１５２】
いくつかの実施形態において、変更レポート済みフラグは、コンテキスト応答メッセージ及び／又は再配置転送要求メッセージ内に含まれる。これは、エラーのケースを訂正するためのものである。いくつかの実施形態において、サービングネットワーク並びにタイムゾーン及び／ＵＣＩのうちの少なくとも１つは、変更が存在する場合、ベアラ生成応答メッセージ、及びベアラ更新応答メッセージ、及びベアラ削除応答メッセージのうちの少なくとも１つの中に含められる。これは、変更をレポートするための例えばＭＢＲといったＳ５／Ｓ８シグナリングを最適化し、及びＳ５／Ｓ８シグナリングを回避するためである。
【０１５３】
上記のいくつかの実施形態は、以下の態様で要約され得る。
【０１５４】
１つの実施形態は、通信ネットワークにおいて情報をハンドリングするための、モビリティ管理ノードにおける方法であって、モビリティ管理ノードが、サービングネットワークによりサービスされる無線デバイスに関連付けられる、方法を対象とする。当該方法は、サービングネットワーク又はタイムゾーン若しくはユーザクローズド加入者グループ情報（ＵＣＩ）のうちの少なくとも１つが無線デバイスについて変更されたことに関する情報、及び、当該変更がモビリティ管理ノードに関連付けられるサービングゲートウェイ（ＳＧＷ）へ送信されていないことに関する情報を取得することと、サービングネットワーク並びにタイムゾーン及びＵＣＩのうちの少なくとも１つが無線デバイスについて変更され、かつ当該変更に関する情報がＳＧＷへ送信されていない場合に、変更されたサービングネットワーク並びにタイムゾーン及びＵＣＩのうちの少なくとも１つに関する情報をＳＧＷへ送信し、ＳＧＷが当該情報をパケットデータネットワークゲートウェイ（ＰＧＷ）へ転送することを可能とすることと、を含む。
【０１５５】
当該方法は、無線デバイスからの要求メッセージ（例えば、サービス要求、若しくはＲＡＵ更新要求、若しくはＴＡＵ更新要求）の受信、又は、無線デバイスが以前にソースモビリティ管理ノードに関連付けられていたケースにおいてはソースモビリティ管理ノードからの要求メッセージ（例えば再配置要求）の受信への反応として、若しくは当該受信に応答して、行われ得る。
【０１５６】
モビリティ管理ノードは、無線デバイスに関連付けられるターゲットモビリティ管理ノードであり、無線デバイスは、以前にソースモビリティ管理ノードに関連付けられ、次いで、情報を取得することはさらに、当該変更に関する情報がＳＧＷへ送信されたか否かを示す標識をソースモビリティ管理ノードから受信することを含み得る。
【０１５７】
無線デバイスがアイドルモードにある場合には、コンテキスト応答メッセージ内で標識が受信されてよく、無線デバイスがアクティブモードにある場合には、再配置転送要求メッセージ内で標識が受信される。
【０１５８】
変更に関する情報がＳＧＷへ送信されていないことを標識が示す場合、当該変更に関する情報は、ベアラ修正要求内で送信され得る。
【０１５９】
標識は、複数のビットを含む情報要素であってよく、各ビットは、サービングネットワーク並びにタイムゾーン及びＵＣＩのうちの少なくとも１つについてのステータスに対応し、当該ステータスは、変更に関する情報がＳＧＷへ送信されたか否かを示す。
【０１６０】
標識は、無線デバイスの１つのパケットデータネットワーク（ＰＤＮ）接続に関連付けられてよく、又は、無線デバイスに個々に関連付けられ得る。
【０１６１】
標識は、変更レポート済みフラグであってもよい。
【０１６２】
モビリティ管理ノードは、Ｓ４−サービングＧＰＲＳ（General  packet  radio  service）サポートノード（Ｓ４−ＳＧＳＮ）、又はモビリティ管理エンティティ（ＭＭＥ）、又は組み合わされたＳＧＳＮ／ＭＭＥであり得る。
【０１６３】
情報を取得することはさらに、モビリティ管理ノードにおいて、サービングネットワーク又はタイムゾーン若しくはＵＣＩのうちの少なくとも１つが変更されたこと、及び、当該変更に関する情報がＳＧＷへ送信されていないこと、を検出することを含み得る。
【０１６４】
ＰＧＷによりトリガされる専用シグナリングが存在する場合、ベアラ更新応答、又はベアラ生成応答、又はベアラ削除応答内で変更に関する情報がＳＧＷへ送信され得る。
【０１６５】
変更に関する情報は、サービングネットワーク及びＵＣＩのうちの少なくとも１つに関する情報を含み得る。
【０１６６】
モビリティ管理ノードは、Ｓ４−サービングＧＰＲＳ（General  packet  radio  service）サポートノード（Ｓ４−ＳＧＳＮ）、又は組み合わされたＳＧＳＮ／モビリティ管理エンティティ（ＳＧＳＮ／ＭＭＥ）であり得る。
【０１６７】
通信ネットワークは、ダイレクトトンネルが通信ネットワークにおいて使用されないＵＴＲＡＮ（Universal  Terrestrial  Radio  Access  Network）に基づいていてもよく、又は、通信ネットワークは、ダイレクトトンネルが通信ネットワークにおいて存在していないＧＳＭ（Global  System  for  Mobile  Communications）に基づいていてもよい。
【０１６８】
変更されたサービングネットワーク並びにタイムゾーン及びＵＣＩのうちの少なくとも１つに関する情報は、Ｓ１１／Ｓ４インタフェース及びＳ５／Ｓ８インタフェース上で最少のシグナリングメッセージにより、ＳＧＷへ送信される。
【０１６９】
上記のいくつかのその他の実施形態は、以下の態様で要約され得る。
【０１７０】
１つの実施形態は、通信ネットワークにおいて情報をハンドリングするためのモビリティ管理ノードであって、サービングネットワークによりサービスされる無線デバイスに関連付けられるように構成される当該モビリティ管理ノードを対象とし得る。当該モビリティ管理ノードは、サービングネットワーク又はタイムゾーン若しくはユーザクローズド加入者グループ情報（ＵＣＩ）のうちの少なくとも１つが無線デバイスについて変更されたことに関する情報、及び、当該変更がモビリティ管理ノードに関連付けられるサービングゲートウェイ（ＳＧＷ）へ送信されていないことに関する情報を取得するように構成される取得ユニットと、サービングネットワーク並びにタイムゾーン及びＵＣＩのうちの少なくとも１つが無線デバイスについて変更され、かつ当該変更に関する情報がＳＧＷへ送信されていない場合に、変更されたサービングネットワーク並びにタイムゾーン及びＵＣＩのうちの少なくとも１つに関する情報をＳＧＷへ送信し、ＳＧＷが当該情報をパケットデータネットワークゲートウェイ（ＰＧＷ）へ転送することを可能とする、ように構成される送信機とを含む。
【０１７１】
取得ユニットは、無線デバイスから、又は、無線デバイスが以前にソースモビリティ管理ノードに関連付けられたケースにおいてはソースモビリティ管理ノードからの要求メッセージの受信への反応として、若しくは、当該受信に応答して、情報を取得するように構成され得る。
【０１７２】
モビリティ管理ノードは、無線デバイスに関連付けられるターゲットモビリティ管理ノードであってよく、無線デバイスは、以前にソースモビリティ管理ノードに関連付けられ、取得ユニットは、変更に関する情報がＳＧＷへ送信されたか否かを示す標識をソースモビリティ管理ノードから受信するように構成される受信機である。
【０１７３】
受信機は、無線デバイスがアイドルモードにある場合には、コンテキスト応答メッセージ内で標識を受信するように、無線デバイスがアクティブモードにある場合には、再配置転送要求メッセージ内で標識を受信するように、構成され得る。
【０１７４】
送信機は、変更に関する情報がＳＧＷへ送信されていないことを標識が示す場合、変更に関する情報をベアラ修正要求内で送信するように構成され得る。
【０１７５】
標識は、複数のビットを含む情報要素であってよく、各ビットは、サービングネットワーク並びにタイムゾーン及びＵＣＩのうちの少なくとも１つについてのステータスに対応し、当該ステータスは、変更に関する情報がＳＧＷへ送信されたか否かを示す。
【０１７６】
標識は、無線デバイスの１つのパケットデータネットワーク（ＰＤＮ）接続に関連付けられてよく、又は、無線デバイスに個々に関連付けられ得る。
【０１７７】
標識は、変更レポート済みフラグであってもよい。
【０１７８】
モビリティ管理ノードは、Ｓ４−サービングＧＰＲＳ（General  packet  radio  service）サポートノード（Ｓ４−ＳＧＳＮ）、又はモビリティ管理エンティティ（ＭＭＥ）、又は組み合わされたＳＧＳＮ／ＭＭＥであり得る。
【０１７９】
取得ユニットは、モビリティ管理ノードにおいて、サービングネットワーク又はタイムゾーン若しくはＵＣＩのうちの少なくとも１つが変更されたこと、及び、当該変更に関する情報がＳＧＷへ送信されていないこと、を検出するように構成される。
【０１８０】
ＰＧＷによりトリガされる専用シグナリングが存在する場合、送信機は、ベアラ更新応答、又はベアラ生成応答、又はベアラ削除応答内で変更に関する情報をＳＧＷへ送信するように構成され得る。
【０１８１】
変更に関する情報は、サービングネットワーク及びＵＣＩのうちの少なくとも１つに関する情報を含む。
【０１８２】
モビリティ管理ノードは、Ｓ４−サービングＧＰＲＳ（General  packet  radio  service）サポートノード（Ｓ４−ＳＧＳＮ）、又は組み合わされたＳＧＳＮ／モビリティ管理エンティティ（ＳＧＳＮ／ＭＭＥ）であり得る。
【０１８３】
通信ネットワークは、ダイレクトトンネルが通信ネットワークにおいて使用されないＵＴＲＡＮ（Universal  Terrestrial  Radio  Access  Network）に基づいていてもよく、又は、通信ネットワークは、ダイレクトトンネルが通信ネットワークにおいて存在していないＧＳＭ（Global  System  for  Mobile  Communications）に基づいていてもよい。
【０１８４】
送信機は、変更されたサービングネットワーク並びにタイムゾーン及びＵＣＩのうちの少なくとも１つに関する情報を、Ｓ１１／Ｓ４インタフェース及びＳ５／Ｓ８インタフェース上で最少のシグナリングメッセージにより、ＳＧＷへ送信するように構成され得る。
【０１８５】
ここで説明した実施形態は、上記の実施形態に限定されない。種々の代替物、修正物、及び均等物が使用されてよい。よって、上記の実施形態は、実施形態の範囲を限定するものとしてみなされるべきではなく、実施形態の範囲は、添付の特許請求の範囲により定義される。
【０１８６】
“含む（comprises）／含んでいる（comprising）”という用語は、この明細書において使用される場合、述べられた特徴、整数、ステップ、又はコンポーネントの存在を明記するために採用されているが、１つ以上のその他の特徴、整数、ステップ、コンポーネント、又はそれらの集合の存在又は追加を排除しないことが強調されるべきである。また、要素の前に付く“ａ”又は“ａｎ”という語が複数のこのような要素の存在を除外しないことにも留意されるべきである。
【０１８７】
添付の特許請求の範囲において定義される方法のステップが、ここでの実施形態から逸脱することなく、請求項に出現する順序とは別の順序で実行されてよいことも強調されるべきである。
【図１】
0005960919.tif 000002
【図２】
0005960919.tif 000003
【図３】
0005960919.tif 000004
【図４】
0005960919.tif 000005
【図５】
0005960919.tif 000006
【図６】
0005960919.tif 000007
【図７】
0005960919.tif 000008
【図８】
0005960919.tif 000009